(57)【要約】【課題】釣り糸の途中に、釣り場や釣り魚などに合わせて使用する重りの重量を任意でかつ容易に変更および調整して、最良の釣果を得ることができる魚釣具を提供する。【解決手段】内部に空洞部４を設けた筒状の収容本体１の一側部に底部５を設けると共に、該収容本体１の他側部に開口部６を設けて、この収容本体１の開口部６へ止着手段１１により着脱自在に蓋体２を設け、収容本体１内の空洞部４や蓋体２内の空間部４へ複数個の重り体３を出し入れ自在に収容させる。【選択図】    図１
2005013207.tif 000002
【特許請求の範囲】
【請求項１】
内部に空洞部を形成させ一側部に底部を設けると共に他側部に開口部を設けた筒状の収容本体と、この収容本体の開口部へ止着手段により着脱自在に設けた蓋体と、前記収容本体内の空洞部や蓋体内の空間部へ収容させる複数個の重り体とを備えさせたことを特徴とする魚釣具。
【請求項２】
内部に空洞部を形成させ一側部に底部を設けると共に他側部に開口部を設けた筒状の収容本体と、この収容本体の開口部へ止着手段により着脱自在に設けた蓋体と、前記収容本体内の空洞部や蓋体内の空間部へ収容させる複数個の重り体とを備えさせ、
前記収容本体の底部における外周端部を略半球状に形成してあって、この収容本体の底部において、下部釣り糸を接続させる接続具を取り付け、
前記蓋体は、前記収容本体の開口部よりつぼまる略円錐状に形成してあって、この蓋体の先端部には、上部釣り糸を接続させる接続具または上部釣り糸を取り付けたことを特徴とする魚釣具。
【請求項３】
内部に空洞部を形成させ一側部に底部を設けると共に他側部に開口部を設けた筒状の収容本体と、この収容本体の開口部へ止着手段により着脱自在に設けた蓋体と、前記収容本体内の空洞部や蓋体内の空間部へ収容させる複数個の重り体とを備えさせ、
前記収容本体の底部における外周端部を略平滑状に形成してあり、
前記蓋体は、前記収容本体の開口部よりつぼまる略円錐状に形成してあって、
前記収容本体と前記蓋体との軸方向において、これら収容本体と蓋体とにわたってその略中心部に内部筒部材を設け、
この内部筒部材内に接続釣り糸を移動自在に通してその両端部を、前記収容本体と前記蓋体との外端部より持ち出すように設けてあり、
前記収容本体側より突出した前記接続釣り糸へ保護部材を係合させてあり、
前記接続釣り糸は、前記収容本体の底部において該接続釣り糸の長さ方向に対する移動を規制させる止め手段を設けたことを特徴とする魚釣具。
【請求項４】
収容本体に、水の排出を行う第一通孔を設けたことを特徴とする請求項１，２または３記載の魚釣具。
【請求項５】
蓋体に、水の流入を行う第二通孔を設けたことを特徴とする請求項１，２または３記載の魚釣具。
【請求項６】
収容本体と蓋体との外周部において、釣り糸の取付部を除いた箇所には、水や砂などの異物が、収容本体の空洞部や蓋体の空間部に侵入する孔や隙間などを設けないことを特徴とする請求項１，２または３記載の魚釣具。
【請求項７】
止め手段は、接続釣り糸に設けた係止段部と、この係止段部と収容本体の外端部とに係合する係合部材とを有することを特徴とする請求項３記載の魚釣具。
【請求項８】
止め手段は、接続釣り糸に設けた係止段部であることを特徴とする請求項３記載の魚釣具。
【請求項９】
止め手段は、接続釣り糸と、該接続釣り糸をその中空部に通した内部筒部材と、この内部筒部材の下側において前記接続釣り糸をその中空部に通した保護部材とを有し、
前記保護部材は、前記接続釣り糸の下端部に取り付けられた撚り戻しに、その下部を支承され、該保護部材の上端部を、前記内部筒部材の下端部に接近や当接させてなり、
前記保護部材は、前記接続釣り糸に取り付けられたとき、該接続釣り糸の下部に取り付けられた前記撚り戻しによって、前記接続釣り糸の下側への移動が規制されることを特徴とする請求項３記載の魚釣具。
【請求項１０】
重り体は、収容本体内へ納まり得る外径を有し、内部筒部材へ該内部筒部材の外側より係脱自在となる切り欠きを設けたことを特徴とする請求項３記載の魚釣具。
【請求項１１】
重り体は、異なる重さの複数種であって、これら異なる重さの複数種を組み合わせて全体重量を調整することを特徴とする請求項１，２または３記載の魚釣具。
【請求項１２】
内部筒部材内へ移動自在に通した接続釣り糸は、その上端部に道糸を接続し、前記接続釣り糸の下端部にハリスに取り付けた釣り仕掛けを接続してあり、
前記接続釣り糸と前記道糸と前記ハリスとは、テグスであって、これら前記接続釣り糸と前記道糸と前記ハリスとは、一連状に接続されたことを特徴とする請求項３記載の魚釣具。
【請求項１３】
内部筒部材の内部に形成した中空部における内径は、該内部筒部材における先端部の内径より、この部筒部材における後端部の内径の方が大きくなるテーパー状に形成させたことを特徴とする請求項３記載の魚釣具。
【請求項１４】
内部筒部材にあって、その先端部と後端部との内端縁および外端縁を、曲面形状に設けたことを特徴とする請求項３記載の魚釣具。
【発明の詳細な説明】
【技術分野】
【０００１】
本発明は、魚釣りに際して、釣り場や釣り魚に合わせて使用する重りの重量を任意でかつ容易に変更することができる魚釣具に関する。
【背景技術】
【０００２】
魚釣りに際して、良好な釣果が得られる要点の一つとして、釣り場や釣り魚に合わせて、釣り仕掛けに使用する重りの重さを適宜選定あるいは調整することが知られている。
従来、釣り仕掛けの途中に設けられた重りは、その変更が必要なときは、釣り糸と、釣り針との間に設けたこの重りを外し、あらかじめ用意してある別の重さの重りを選定して付け替えたり、あるいは、別の重りが取り付けられている釣り仕掛け全体を釣り竿から外し交換して対応していた。
【０００３】
そのため、この重りの交換作業が甚だ面倒で、しかも、結糸は指先での細かい作業が要求されて、釣場等の作業環境が余りよくない場所での交換は困難なことが多い。
【０００４】
また、この釣り仕掛けに設けられた重り６０は、図１３に示すように、鉛などにより球形に成形されているため、例えば、鮎のゴロ引き釣りを行ったときなどは、図１４に示すように、この重り６０が川底の石６１などの間６１ａには入り込んだときは、この球形部が間６１ａに嵌り、釣り糸６２を右へ左へと動かしても外れず、ついには、無理に竿を操作して釣り糸６２を切るしか手だてがなく、貴重な釣り仕掛けを失ってしまう欠点があった。しかも、この切れた釣り仕掛けは釣り場にそのまま残存することになるため、河川などの自然環境に与える影響も極めて大きいものであった。
【０００５】
更に、海などにおける投げ釣り用に用いる重りは、図１５に示すように、例えば、フロート７０の付いた重錘７１を針金からなる道糸取付杆７２に挿嵌し、この道糸取付杆７２に針金からなるハリス取付杆７３を回動できるように取り付けた、いわゆる、全体が一体化されたてんびん重り７４が知られている。
このてんびん重り７４も前記重り６０と同様に、該重り７４の重さを適宜選定あるいは調整使用とすると、すでに取り付けられている道糸７５およびハリス７６から、この重り７４を切り離し、新たに、希望する他の重量の重りを道糸７５およびハリス７６へ結着させなければならず、重りの重量に合わせて多数種類のものを用意し、持参しなければならず、しかも、この重りの交換作業が甚だ面倒で、しかも、結糸は指先での細かい作業が要求されて、釣場等の作業環境が余りよくない場所での交換は困難なことが多い。
【０００６】
しかも、道糸取付杆７２とハリス取付杆７３とは、これらの端部に設けた環状部７５ａ，７６ａによる接続のため、この接続部において絡みやすく、図１５に示すように、いつも、釣り仕掛けを投げ入れたとき、ハリス取付杆７３が側方への略９０゜に折曲するとは限らず、釣り針などを付けた釣り仕掛けが道糸７５やこの重り７４に絡み付く欠点があった。
【発明の開示】
【発明が解決しようとする課題】
【０００７】
本発明は前記した問題点を解決するためになされたもので、内部に空洞部を設けた筒状の収容本体の一側部に底部を設けると共に他側部に開口部を設けて、この収容本体の開口部へ止着手段により着脱自在に蓋体を設け、収容本体内の空洞部や蓋体内の空間部へ複数個の重り体を収容させることにより、釣り場や釣り魚に合わせて使用する重りの重量を任意でかつ容易に変更して、最良の釣果を得ることができる魚釣具を提供することを目的としている。
【課題を解決するための手段】
【０００８】
前記した目的を達成するための本発明の手段は、
内部に空洞部を形成させ一側部に底部を設けると共に他側部に開口部を設けた筒状の収容本体と、この収容本体の開口部へ止着手段により着脱自在に設けた蓋体と、前記収容本体内の空洞部や蓋体内の空間部へ収容させる複数個の重り体とを備えさせた魚釣具の構成にある。
【０００９】
内部に空洞部を形成させ一側部に底部を設けると共に他側部に開口部を設けた筒状の収容本体と、この収容本体の開口部へ止着手段により着脱自在に設けた蓋体と、前記収容本体内の空洞部や蓋体内の空間部へ収容させる複数個の重り体とを備えさせ、
前記収容本体の底部における外周端部を略半球状に形成してあって、この収容本体の底部において、下部釣り糸を接続させる接続具を取り付け、
前記蓋体は、前記収容本体の開口部よりつぼまる略円錐状に形成してあって、この蓋体の先端部には、上部釣り糸を接続させる接続具または上部釣り糸を取り付けた魚釣具の構成にある。
【００１０】
内部に空洞部を形成させ一側部に底部を設けると共に他側部に開口部を設けた筒状の収容本体と、この収容本体の開口部へ止着手段により着脱自在に設けた蓋体と、前記収容本体内の空洞部や蓋体内の空間部へ収容させる複数個の重り体とを備えさせ、
前記収容本体の底部における外周端部を略平滑状に形成してあり、
前記蓋体は、前記収容本体の開口部よりつぼまる略円錐状に形成してあって、
前記収容本体と前記蓋体との軸方向において、これら収容本体と蓋体とにわたってその略中心部に内部筒部材を設け、
この内部筒部材内に接続釣り糸を移動自在に通してその両端部を、前記収容本体と前記蓋体との外端部より持ち出すように設けてあり、
前記収容本体側より突出した前記接続釣り糸へ保護部材を係合させてあり、
前記接続釣り糸は、前記収容本体の底部において該接続釣り糸の長さ方向に対する移動を規制させる止め手段を設けた魚釣具の構成にある。
【００１１】
収容本体に、水の排出を行う第一通孔を設ける。
【００１２】
蓋体に、水の流入を行う第二通孔を設ける。
【００１３】
収容本体と蓋体との外周部において、釣り糸の取付部を除いた箇所には、水や砂などの異物が、収容本体の空洞部や蓋体の空間部に侵入する孔や隙間などを設けない。
【００１４】
止め手段は、接続釣り糸に設けた係止段部と、この係止段部と収容本体の外端部とに係合する係合部材とを有する。
【００１５】
止め手段は、接続釣り糸に設けた係止段部である。
【００１６】
止め手段は、接続釣り糸と、該接続釣り糸をその中空部に通した内部筒部材と、この内部筒部材の下側において前記接続釣り糸をその中空部に通した保護部材とを有し、
前記保護部材は、前記接続釣り糸の下端部に取り付けられた撚り戻しに、その下部を支承され、該保護部材の上端部を、前記内部筒部材の下端部に接近や当接させてなり、
前記保護部材は、前記接続釣り糸に取り付けられたとき、該接続釣り糸の下部に取り付けられた前記撚り戻しによって、前記接続釣り糸の下側への移動が規制される。
【００１７】
重り体は、収容本体内へ納まり得る外径を有し、内部筒部材へ該内部筒部材の外側より係脱自在となる切り欠きを設ける。
【００１８】
重り体は、異なる重さの複数種であって、これら異なる重さの複数種を組み合わせて全体重量を調整する。
【００１９】
内部筒部材内へ移動自在に通した接続釣り糸は、その上端部に道糸を接続し、前記接続釣り糸の下端部にハリスに取り付けた釣り仕掛けを接続してあり、
前記接続釣り糸と前記道糸と前記ハリスとは、テグスであって、これら前記接続釣り糸と前記道糸と前記ハリスとは、一連状に接続される。
【００２０】
内部筒部材の内部に形成した中空部における内径は、該内部筒部材における先端部の内径より、この部筒部材における後端部の内径の方が大きくなるテーパー状に形成させる。
【００２１】
内部筒部材にあって、その先端部と後端部との内端縁および外端縁を、曲面形状に設ける。
【発明の効果】
【００２２】
本発明は、重りの重量の変更に際して、釣り糸の着脱作業を行うことなく簡単に行うことができる。
重りが石や岩などの間へ入り込みにくく、釣り仕掛けを失うことが可及的減少する。
【発明を実施するための最良の形態】
【００２３】
次に本発明に関する魚釣具の実施の一例を図面に基づいて説明する。
図１〜図２−１，図２−２および図４，図５においてＡは、第一の実施例を示す魚釣具で、例えば、鮎釣りのゴロ引き用などに使用されるものであって、収容本体１と、蓋体２と、重り体３とにより基本的に構成される。
【００２４】
そして、前記した収容本体１は、堅牢な合成樹脂等により断面円形や多角形などの縦長となる筒状に形成してあって、内部に一連状の空洞部４を設け、一側部（使用時に常時は下方に向いている位置）にその全面を塞いだ底部５を、他側部（使用時に常時は上方に向いている位置）に開口部６を設けてある。
【００２５】
また、該収容本体１の底部５における外周端部を略半球状に形成してあって、この収容本体１の底部５において、下部釣り糸７を接続させるたこ糸などの接続具８を取り付けてある。
この接続具８の収容本体１への取り付けに際しては、収容本体１の底部５において、該収容本体１を横断したその略中心位置に相当する箇所において穿設した止め孔９へ接続具８を通し、その一端に結び目８ａを設けることで、前記止め孔９からの抜け落ちが防止される。更に、この接続具８の他端にも結び目８ｂを設けて下部釣り糸７の結着を容易にさせる。
【００２６】
なお、この収容本体１の底部５には、後記する蓋体２を取り付けた際の、空洞部４および空間部１３に対する水の排出を行う第一通孔１０を一箇所または複数箇所にわたって設けてある。
【００２７】
前記した蓋体２は、収容本体１の開口部６へ止着手段１１により、該蓋体２の一側部１２を着脱自在に設けてあるもので、この収容本体１と同効質の素材により、かつ、少なくとも開口部６への取付部（一側部１２）は、この収容本体１と同様な断面形状を有していて、その内部に空間部１３が形成されている。
【００２８】
また、この蓋体２は、収容本体１の開口部６より、すなわち、該蓋体２の一側部１２よりつぼまる略円錐状に形成してあって、この蓋体２の先端部には、上部釣り糸１４を接続させる接続具（図示せず）または上部釣り糸１４を取り付けてある。
この上部釣り糸１４を接続させる接続具（図示せず）または上部釣り糸１４の取り付けに際しては、蓋体２の他端部において、該蓋体２を横断したその略中心位置に相当する箇所において、すなわち、略円錐形部のそのつぼまり端部に穿設した止め孔１５へ上部釣り糸１４（接続具）を通し、その一端に結び目１４ａを設けることで、前記止め孔１５からの抜け落ちが防止される。
【００２９】
また、この蓋体２の外周部適所には、収容本体１を取り付けた際の、空間部１３および空洞部４に対する水の流入を行う第二通孔１６を一箇所または複数箇所にわたって設けてある。
この第二通孔１６は、収容本体１に設けた第一通孔１０との相乗効果により、この魚釣具Ａを水中に投入したとき、速やかに、空洞部４および空間部１３へ水が入り込んで内部空気を排出し、該魚釣具Ａが内部空気が存在することによる浮き子状態となることを速やかに防止する。
なお、前記した第一通孔１０および第二通孔１６は、図２−２（ａ）に示すように、収容本体１に第一通孔１０，蓋体２に第二通孔１６を設けたり、必要に応じて、図２−２（ｂ）に示すように、収容本体１に設けた第一通孔１０のみを設けて、この第一通孔１０により水の流入出を兼用に行ったり、図２−２（ｃ）に示すように、蓋体２に設けた第二通孔１６のみを設けて、第二通孔１６により水の流入出を兼用に行ったする。更には、図２−２（ｄ）に示すように、収容本体１と蓋体２との外周部において、釣り糸の取付部（止め孔９，１５）を除いた箇所には、水や砂などの異物が、収容本体１の空洞部４や蓋体２の空間部１３に侵入する孔や隙間などを設けないこともある。
【００３０】
前記した止着手段１１は、収容本体１と蓋体２とを着脱自在に設けるもので、例えば、図１に示すように、収容本体１の開口部６に設けためねじ１７と、蓋体２の一側部１２に設けたおねじ１８との螺合に行ったり、図示してないが、収容本体１の開口部６と蓋体２の一側部１２との嵌合により行ったりするもので、簡便に脱着操作が行えるものであれば適宜な手段が選定し得る。
【００３１】
前記した重り体３は、釣り仕掛けに対して所定の重り作用を与えるもので、鉛製以外にも前記目的を達するものであれば任意の素材が使用することができる。
そして、収容本体１内の空洞部４や蓋体２内の空間部１３へ出し入れ自在に収容させるもので、収容本体１内へ納まり得る外径を有していて、該空洞部４内には複数個が設けられる。そして、この複数個の重り体３は、図３に示すように、大きさ（すなわち、重さ）を違えた２種類あるいは複数種類の小重り３ａ，３ｂ…が用意されているもので、これら複数の小重り３ａ，３ｂ…の組み合わせ収容によって、希望する全体重量の重り体３が得られる、あるいは、全体重量の微調整を行うことができる。
例えば、小重り３ｂが３個と、小重り３ａが２個により３０ｇの重量を有する重り体３を得る、とのように組み合わせ調整することができる。
更に、この重り体３は、収容本体１内の空洞部４以外にも、収容本体１内の空洞部４と一緒に蓋体２の空間部１３内にも収納することができる。
【００３２】
また、本発明実施例の魚釣具Ａは、その使用にあって、上部釣り糸１４により吊持されたとき、図１に示すように、蓋体２が上部にまた収容本体１が下部に位置するもので、その全体形状は、水滴の落下状態に似た形態となる。
更に、この魚釣具Ａを前記吊持位置から略９０゜倒したときは、収容本体１側に重心が常に存在するように構成される。このことは、収容本体１の空洞部４内の重り体３の収容容積が、蓋体２の空間部１３内の重り体３の収容容積より大きいことによるものである。
【００３３】
前記のように構成される本発明の第一の実施例の魚釣具Ａは、以下に述べる作用を奏する。
例えば、鮎のゴロ引き釣りに用いる場合には、釣竿に結着した道糸（上部釣り糸１４）の先端部を、魚釣具Ａにおける蓋体２の止め孔１５に挿入し、この道糸（上部釣り糸１４）の先端部に結び目１４ａを形成すると、止め孔１５に結び目１４ａが固定されて、道糸（上部釣り糸１４）の蓋体２からの抜け止めが防止される。
【００３４】
また、収容本体１の接続具８に釣り針を多数取り付けた仕掛けを有する下部釣り糸７を結着しておき、釣場等の状況などに相応して、重り体３の全体重量を選定し、その小重り３ａ，３ｂを組み合わせて希望する重り体３となるように、これら小重り３ａ，３ｂを収容本体１の空洞部内６や蓋体２の空間部１３内へ収容し、収容体１と蓋体２とを止着手段１１により連結する。
【００３５】
これにより、釣り仕掛け全体が形成されるので、川にこの釣り仕掛けを放ち、水中あるいは川底へ前記釣り仕掛けを移動させると、魚釣具Ａがその重りにより川底へ速やかに沈み、図４に示すように、その後部に接続された多数の釣り針２０が水中あるいは川底を這うように回転しながら移動する。
このとき、魚釣具Ａは、蓋体２あるいは収容本体１に第二通孔１６あるいは第一通孔１０が設けられているため、上部釣り糸１４を引っ張ったとき、水が第二通孔１６から流入し、第一通孔１０から排出して魚釣具Ａ内を流動する。この水の流動は、魚釣具Ａ内に入り込んだ砂やゴミなどの異物排除の効果もある。
したがって、釣り糸１４を引いたとき、瞬間的に、該魚釣具Ａに移動抵抗が掛かり、この魚釣具Ａが水中において上下方向へ横方向へと自由なスイング動作を起こし、急激な浮き上がり現象を抑え、程良い緩やかな浮き上がり・浮き沈み運動を生じさせて、水中での停滞時間を可及的延長させることができ、釣果の大幅な向上につながる。
【００３６】
もし、この重り体３の重量が不満足の場合には、釣り仕掛け全体を川から引き上げ、魚釣具Ａにおける収容本体１と蓋体２とをその止着手段１１により分離させると、重り体３が取り出せるあるいは追加できる状態となるので、空洞部内６や空間部１３内の重り体３における小重り３ａ，３ｂを増減させ、再び、止着手段１１によりを収容本体１と蓋体２とを連結すれば、直ちに、釣りを楽しむことができて、重り体３の重量調整に手間と時間等が掛からない。
【００３７】
更に、釣り中に、重りとなった魚釣具Ａが、川底の石や岩などの突起物２１に接近すると、該魚釣具Ａは収容本体１側に重心があるため、蓋体２より下方に該収容本体１側がその姿勢を位置し、図５（ａ）に示すように、突起物２１へ斜めに姿勢で当接するもので、この突起物２１へ引っ掛かることなく、円滑にこの魚釣具Ａにおける収容本体１と蓋体２の外周面が突起物２１面に馴染んで引っ張られる。
また、収容本体１の底部５が略半球状に形成されていれば、突起物２１面への馴染みが一層良好となって、突起物２１への引っ掛かりが解消される。
【００３８】
もし、川底の石や岩などの突起物２１の間へ魚釣具Ａが入り込もうとして引っ掛かったときは、その衝撃が竿に伝達されるので、一旦、釣り仕掛けの引きずりを止め、今まで、釣り仕掛けを引っ張っていた方向と逆方向へ、または、斜め方向へあるいは横方向へ、上部釣り糸１４を釣り竿と共に移動させると、その上部釣り糸１４の回動によって、図５（ｂ）に示すように、魚釣具Ａが収容本体１の底部５を略中心として揺動するので、突起物２１の間に位置した蓋体２は容易にこの間から抜け出る（外れる）ことができ、魚釣具Ａの突起物２１の間への嵌り込みが防止される。
【００３９】
特に、この魚釣具Ａは、その収容本体１の底部５を略中心として、上部釣り糸１４を適宜な３６０゜方向へ移動させることで、収容本体１と蓋体２とが一体となって、その引っ張られた方向へ全体姿勢を変更するから、多少、魚釣具Ａの突起物２１の間への嵌り込みを生じても、容易にこの間からの抜け出し（外れ出し）がなされる。このことは、蓋体２が略円錐形に形成され。かつ、収容本体１側に魚釣具Ａの重心があること、および、収容本体１の底部が略半球状に形成されているため、前記した魚釣具Ａの３６０゜方向へ移動が円滑に行われる。
また、蓋体２の略円錐形は、突起物２１の間への嵌り込みもできるだけ最小限に抑えることができる。
【００４０】
次に、図６および図９−１，図９−２においてＡは第二の実施例を示す魚釣具で、例えば、投げ釣り用仕掛けなどに使用されるものであって、前記した第一の実施例と同様に、収容本体１と、蓋体２と、重り体３とにより基本的に構成される。
【００４１】
そして、前記した収容本体１は、堅牢な合成樹脂等により断面円形や多角形などの縦長となる筒状に形成してあって、内部に一連状の空洞部４を設け、一側部（使用時に常時は下方に向いている位置）にその全面を塞いだ底部５を、他側部（使用時に常時は上方に向いている位置）に開口部６を設けてある。
【００４２】
また、該収容本体１の底部５における外周端部を略平滑状あるいは図６，図１１等に示すように、内方へ凹む円弧状の凹部をなすように形成してある。
【００４３】
なお、この収容本体１の外周部は、図６（ｂ）に示すように、砂などの異物が入らないように孔や隙間などを設けない外側部を有していて、該収容本体１の空洞部４とは全く外部と連通しないように設けられているものであるが、必要に応じて、この収容本体１の底部５に、図６（ａ），図１０〜図１１などに示すように、後記する蓋体２を取り付けた際の、空洞部４および空間部１３に対する水の排出を行う第一通孔１０を一箇所または複数箇所にわたって設けることもある。
【００４４】
前記した蓋体２は、収容本体１の開口部６へ止着手段１１により、この蓋体２の一側部１２を着脱自在に設けてあるもので、この収容本体１と同効質の素材により、かつ、少なくとも開口部６への取付部（一側部１２）は、該収容本体１と同様な断面形状を有していて、その内部に空間部１３が形成されている。
【００４５】
また、この蓋体２は、収容本体１の開口部６より、すなわち、該蓋体２の一側部１２よりつぼまる略円錐状に形成してあって、蓋体２の他端部において、該蓋体２を横断したその略中心位置に相当する箇所において、すなわち、略円錐形部のそのつぼまり端部に、後記する内部筒部材３０が挿入される貫通孔３１が設けられている。
【００４６】
また、この蓋体２の外周部は、図６（ｂ）に示すように、砂などの異物が入らないように孔や隙間などを設けない外側部を有していて、該蓋体２の空間部１３とは全く外部と連通しないように設けられているものであるが、必要に応じて、この蓋体２の外周部適所には、図６（ａ）〜図７，図９−１などに示すように、収容本体１を取り付けた際の、空間部１３および空洞部４に対する水の流入を行う第二通孔１６を一箇所または複数箇所にわたって設けてある。
なお、この第二通孔１６は、収容本体１に設けた第一通孔１０との相乗効果により、この魚釣具Ａを水中に投入したとき、速やかに、空洞部４および空間部１３へ水が入り込んで内部空気を排出し、該魚釣具Ａが内部空気が存在することによる浮き子状態となることを防止する。
なお、前記した第一通孔１０および第二通孔１６は、図９−２（ａ）に示すように、収容本体１に第一通孔１０，蓋体２に第二通孔１６を設けたり、必要に応じて、図９−２（ｂ）に示すように、収容本体１に設けた第一通孔１０のみを設けて、この第一通孔１０により水の流入出を兼用に行ったり、図９−２（ｃ）に示すように、蓋体２に設けた第二通孔１６のみを設けて、第二通孔１６により水の流入出を兼用に行ったりする。更には、図９−２（ｄ）に示すように、収容本体１と蓋体２との外周部において、釣り糸の取付部（貫通孔３１）を除いた箇所には、水や砂などの異物が、収容本体１の空洞部４や蓋体２の空間部１３に侵入する孔や隙間などを設けないことがあるもので、この場合、空洞部４および空間部１３に存在する空気の排出は行わないこともあると共に、前記釣り糸の取付部（貫通孔３１）より空洞部４および空間部１３に存在する空気の排出が行えて、内部に水が充満し浮き子状態にさせない場合もある。
【００４７】
前記した止着手段１１は、収容本体１と蓋体２とを着脱自在に設けるもので、例えば、図６に示すように、収容本体１の開口部６に設けた係止内縁３２と、蓋体２の一側部１２に設けた係止受部３３との螺合に行ったり、図示してないが、収容本体１の開口部６と蓋体２の一側部１２とに設けたねじによる螺合により行ったりするもので、簡便に脱着操作が行えるものであれば適宜な手段が選定し得る。
【００４８】
なお、前記した内部筒部材３０は、合成樹脂等により内部を空洞とした中空部３０ａを有するパイプ状に形成してあって、収容本体１と蓋体２との軸方向において、これら収容本体１と蓋体２とにわたって、それらの略中心部における収容本体１の係止孔４０と蓋体２の貫通孔３１とに挿入させてある。
なお、該内部筒部材３０の収容本体１および蓋体２への取り付けは、収容本体１における貫通孔３１に対しては、該貫通孔３１が内部筒部材３０の外周部に対して摺動自在に係合することで、重り体３の交換時等において蓋体２の取り外し，取り外しの作業を簡便に行うことができる。
また、収容本体１の係止孔４０にあっては、図１２−１に示すように、内部筒部材３０の下端部とこの係止孔４０とを接着や溶着などの固定手段４０ａにより固定することが好ましい。更には、図１２−２に示すように、収容本体１と内部筒部材３０とを一体成形する場合もある。
そして、この内部筒部材３０内の中空部３０ａに接続釣り糸３４を、少なくとも軸方向（縦方向）に対して移動自在に通して、その両端部を、収容本体１と蓋体２との外端部よりそれぞれ持ち出すように（収容本体１と蓋体２との中を通った接続釣り糸３４は該収容本体１と蓋体２との外端部から所定長さ分が連続して引き出された突出状態に）設けてある。これにより、接続釣り糸３４の他物への摩擦接触をなくして糸切れを防止することができる。
この接続釣り糸３４の上端部は、釣り竿（図示せず）に結着した道糸３５に対して撚り戻し３６を介して取り付けてある。
【００４９】
なお、内部筒部材３０内部に形成した中空部３０ａにおけるその内径は、図１２−２に示すように、該内部筒部材３０における先端部３０ｂの内径Ｄ１より、この部筒部材３０における後端部３０ｃの内径Ｄ２の方が大きく（Ｄ１＜Ｄ２）なるように、すなわち、魚釣具Ａの進行方向（同図において示す矢印Ｋ方向）に対してテーパー状となるように形成しておけば、内部筒部材３０内部に水や砂などの異物が入り込んだときでも、円滑に前記異物を排出させることができると共に、入り込んだ砂などによる摩擦等によって、接続釣り糸３４を損傷，折損させない。
また、中空部３０ａをテーパー状に形成させることで、この内部筒部材３０内壁に対する接続釣り糸３４の接触摩擦が可及的に減少させることができ、アタリ時の検知を向上させることができる。
この内部筒部材３０内部に形成した中空部３０ａにおけるその内径は、前記したようにテーパー形状以外にも、ストレート形状に、すなわち、同径（Ｄ１＝Ｄ２）に形成してもよい。
【００５０】
更に、この内部筒部材３０にあって、その先端部３０ｂと後端部３０ｃとの内端縁３０ｂ１，外端縁３０ｃ１を、図１２−２において、Ｓ部拡大図およびＲ部拡大図に示すように、曲面形状（アール面）に設けることで、接続釣り糸３４との接触が柔軟的となって、釣り使用時や本魚釣具Ａの保管時に際しても該接続釣り糸３４を傷めることがない。
また、この内部筒部材３０を収容本体１と一体的に設けない場合（図７に示すような場合）であっても、その先端部３０ｂと後端部３０ｃとの内端縁３０ｂ１，外端縁３０ｃ１を、曲面形状（アール面）に設けることができる。
しかし、この内・外端縁３０ｂ１，３０ｃ１は曲面形状（アール面）を設けない略直角形状であっても、接続釣り糸３４を傷めることはあるものの、釣り具としての使用上問題ない場合もある。
【００５１】
前記した重り体３は、釣り仕掛けに対して所定の重り作用を与えるもので、鉛製以外にも前記目的を達するものであれば任意の素材が使用することができる。
そして、収容本体１内の空洞部４や蓋体２内の空間部１３へ出し入れ自在に収容させるもので、収容本体１内へ納まり得る外径を有していて、該空洞部４内には複数個が設けられる。そして、この複数個の重り体３は、図７に示すように、大きさ（すなわち、重さ）を違えた小重り３ａ，３ｂ…が用意されているもので、これら複数の小重り３ａ，３ｂ…の組み合わせ収容によって、希望する全体重量の重り体３が得られる。例えば、小重り３ｂが３個と、小重り３ａが２個により３０ｇの重量を有する重り体３を得る、とのように組み合わせ調整することができる、あるいは、全体重量の微調整を行うことができる。
更に、この重り体３は、収容本体１内の空洞部４以外にも、収容本体１内の空洞部４と一緒に蓋体２の空間部１３内にも収納することができる。
また、収容本体１の空洞部４内の重り体３の収容容積が、蓋体２の空間部１３内の重り体３の収容容積より大きく設ける、いわゆる、収容本体１側に魚釣具Ａの重心を設ける。
【００５２】
また、この重り体３は、収容本体１の空洞部４や蓋体２の空間部１３への収納性を良好にするため、内部筒部材３０との干渉を避ける切り欠き３７を設けてあって、この内部筒部材３０へ該内部筒部材３０の外側より脱着あるいは係脱自在となる。
【００５３】
更に、収容本体１側の外端部より突出した接続釣り糸３４へ保護部材３９を係合させてある。この係合にあっては、パイプ状の前記保護部材３９内へ接続釣り糸３４を挿通させることでなされる。この保護部材３９は、その内部に空洞状の中空部３９ａが形成されているもので、該中空部３９ａは、その内径が上部Ｄ３から下部Ｄ４へ向かうにしたがってテーパー状に広がるように形成することがあり、中空部３９ａ内部に水や砂などの異物が入り込んだときでも、円滑に前記異物を排出させることができると共に、入り込んだ砂などによる摩擦等によって、接続釣り糸３４を損傷，折損させない。
また、前記したように、中空部３９ａをテーパー状に形成させることで、この保護部材３９内壁に対する接続釣り糸３４の接触摩擦が可及的に減少させることができ、アタリ時の検知を向上させることができる。
この保護部材３９内部に形成した中空部３９ａにおけるその内径は、前記したようにテーパー形状以外にも、ストレート形状に、すなわち、上部Ｄ３と下部Ｄ４とが同径（Ｄ３＝Ｄ４）に形成してもよい。
この保護部材３９は、この魚釣具Ａと共にこの下部に接続させた釣り仕掛けを遠投したとき、該保護部材３９が、図９−１に示すように、前記釣り仕掛け４７ａに取り付けた餌などが、該魚釣具Ａやテグスなどに絡み付くことを防止する。
また、接続釣り糸３４の他物への摩擦接触をなくして糸切れを防止することができる。更に、この保護部材３９の長さを適宜調整変更させることにより、釣り場にあってその風向きや風力などにほとんど影響されることなく、前記魚釣具Ａやテグスなどへの絡み付き防止が一層助長される。
なお、この保護部材３９にあって、その先端部３９ｂと後端部３９ｃとの内端縁３９ｂ１，外端縁３９ｃ１を、図１２−３において、Ｓ１部拡大図およびＲ１部拡大図に示すように、曲面形状（アール面）に設けることで、接続釣り糸３４との接触が柔軟的となって、釣り使用時や本魚釣具Ａの保管時に際しても該接続釣り糸３４を傷めることがない。
しかし、この内端縁３９ｂ１，外端縁３９ｃ１は曲面形状（アール面）を設けない略直角形状であっても、接続釣り糸３４を傷めることはあるものの、釣り具としての使用上問題ない場合もある。
【００５４】
また、この保護部材３９の接続釣り糸３４への取り付けにあっては、魚釣具Ａを該接続釣り糸３４の所定位置へ取り付けることで、必然的に、収容本体１の底部５における外端部より吊持された状態で設けられる。
そして、魚釣具Ａの接続釣り糸３４への所定位置の取り付けにあっては、収容本体１の底部５における外端部において、接続釣り糸３４の長さ方向（軸方向）に対する移動を規制させる止め手段４１を設けることでなされる。
【００５５】
すなわち、この止め手段４１は、接続釣り糸３４に設けた係止段部４２と、この係止段部４２と収容本体１の外端部とに係合する係合部材４３とを有する。
このうち、係止段部４２は、接続釣り糸３４の希望する位置に一重あるいは二重の結び目を設けることで容易に形成されるもので、この係止段部４２の形成位置が、図６（ａ）に示すように、蓋体２の外端部と、この外端部より上方において接続釣り糸３４に設けた撚り戻し３６とのゆとりｘが、魚が釣り針に掛かったときの当たり量となる。
【００５６】
また、係止部材４３は、可撓性を有する合成樹脂板により形成してあって、その中心部（半径方向）まで切れ目４４を設けてある。
したがって、この係止部材４３を、図１０に示すように、切れ目４４に沿って撓ませ、接続釣り糸３４の外周部へ係合させてこの切れ目４４の最終端まで押し込んだ後、撓みを解除させると、係止部材４３は元の平滑状に復元し、それにより、接続釣り糸３４を所定の力で挟み付ける。そのため、魚釣具Ａの重量がこの係止部材４３に掛かったとき、接続釣り糸３４の係止段部４２に、該魚釣具Ａの重量を係止部材４３を介して支承することができ、魚釣具Ａの接続釣り糸３４への取付位置の調整をワンタッチにより行うことができる。
【００５７】
更に、なお、該止め手段４１は、前記係止段部４２や係止部材４３を用いることなく接続釣り糸３４の長さ方向（軸方向）に対する移動を規制させる、および位置決めさせることができるもので、この場合、図６（ｂ）に示すように、接続釣り糸３４の下端部に取り付けられた撚り戻し４６にその下部を支承された保護部材３９の上端部を、内部筒部材３０の下端部に接近（当接）させた状態に構成させることで、同様の作用効果を奏する。
また、この保護部材３９の上端部と内部筒部材３０の下端部との当接位置の形態が、図６（ｂ）に示すように、蓋体２の外端部と、この外端部より上方において接続釣り糸３４に設けた撚り戻し３６とのゆとりｘが、魚が釣り針に掛かったときの当たり量となる。
【００５８】
更に、この止め手段４１の他の例として、図１２−１に示すように、収容本体１における底部５の外端部へ係合する接続釣り糸３４の係止段部４２のみであっても構わないものである。この係止段部４２は、例えば、接続釣り糸３４に設けた一重または二重の結び目や、図示してない、簡単に接続釣り糸３４へ取り付けられる半割状のかしめ管や急速硬化性樹脂の貼着など任意の手段が選定し得る。
【００５９】
なお、前記した保護部材３９は、接続釣り糸３４に取り付けられたとき、該接続釣り糸３４の下部に取り付けられた撚り戻し４６によって、接続釣り糸３４の下側への移動が規制される。
また、撚り戻し４６の下側には、重りや釣り針等の釣り仕掛け４７ａが結着される。
更に、内部筒部材３０内へ移動自在に通した接続釣り糸３４は、その上端部に道糸３５を接続し、接続釣り糸３４の下端部にハリス４７に取り付けた釣り仕掛け４７ａを接続してあり、接続釣り糸３４と道糸３５とハリス４７とは、合成樹脂製からなるテグスであって、これら接続釣り糸３４と道糸３５とハリス４７とは、一連状に接続される。したがって、これにより、魚が掛かったアタリが直接的に、釣り針の付いた釣り仕掛け４７ａからハリス４７、接続釣り糸３４、道糸３５と伝達されて釣り人が持つ釣竿に伝わるので、どんな小さな魚や、引きの弱い魚であっても、前記アタリを逃すことなく釣果の向上に寄与できる。
【００６０】
前記のように構成される本発明の第二の実施例の魚釣具Ａは、以下に述べる作用を奏する。
例えば、この魚釣具Ａを、海において投げ釣り（他の釣りにも採用可能）に用いる場合には、釣竿に結着した道糸（上部釣り糸）３５の先端部を、撚り戻し３６を介して魚釣具Ａにおける接続釣り糸３４へ結着し、重りや釣り針等の釣り仕掛け４７ａを撚り戻し４６を介して接続釣り糸３４へ結着する。
【００６１】
また、釣場等の状況（潮の流れや海の深さ，魚の種類など）に相応して、重り体３の全体重量を選定し、その小重り３ａ，３ｂを組み合わせて希望する重り体３となるように、これら小重り３ａ，３ｂを収容本体１の空洞部内６や蓋体２の空間部１３内へ収容し、収容体１と蓋体２とを止着手段１１により連結する。
【００６２】
これにより、海釣り用の仕掛け全体が形成されるので、海へ、この魚釣具Ａと共に釣り仕掛け４７ａを投げ入れると、重りである魚釣具Ａと共にその下部の仕掛け４７が海に向かって飛んで行くもので、このとき、魚釣具Ａには、収容本体１の下部外端部に保護部材３９により接続釣り糸３４を外包しているので、この接続釣り糸３４に所定の保形作用が働いて、図９−１に示すように、下部の仕掛け４７と魚釣具Ａにおける収容本体１，蓋体２との間に所定の間隔Lを形成する。
そのため、釣り仕掛け４７ａに取り付けた釣り針や餌などが、該魚釣具Ａやテグス（道糸３５）などに絡み付かない。
特に、収容本体１の下部外端部の接続釣り糸３４は、該接続釣り糸３４のみが揺動が自由となっているため、保護部材３９の回動方向を任意（自由）に与えることができて、一層、釣り仕掛け４７ａや道糸３５などの絡み付きが防止される。
更には、収容本体１の底部５を平滑状あるいは凹状に形成させることで、接続釣り糸３４のみの揺動自由と相俟って、保護部材３９が容易に略９０゜まで屈曲することができ、釣り糸を投げたときの空中姿勢にあって、この保護部材３９の略９０゜の姿勢を保持させることができる。
【００６３】
水中に放たれた魚釣具Ａは、収容本体１，蓋体２内の重り体３の重りにより、海底へ速やかに沈み、釣りポイントに移動する。
このとき、魚釣具Ａは、蓋体２あるいは収容本体１に第二通孔１６あるいは第一通孔１０を設けたときは、自然にあるいは道糸３５を引っ張ったとき、水が第二通孔１６から流入し、第一通孔１０から排出されて魚釣具Ａ内を流動するので、速やかに、空洞部４や空間部１３内の空気や異物あるいは侵入した砂などを排出させ、かつ、魚釣具Ａの必要以上の浮き上がりを防止する。
また、水中において、道糸３５を引っ張ったとき、瞬間的に、該魚釣具Ａに移動抵抗が掛かり、この魚釣具Ａが水中において、過度な浮き上がりを抑えることができるため、底物の魚を釣るときは特に効果を発揮する。
また、魚釣具Ａの外形状を略円錐形に形成することで、適度な浮き上がりを生じさせることができて、水中での魚釣具Ａの停滞時間を可及的延長させることができ、該魚釣具Ａの程良い浮き上がりも生ずるため、根掛かりを防止することもできて、釣果の大幅な向上につながる。
【００６４】
使用にあって、もし、この重り体３の重量が不満足の場合には、魚釣具Ａと共に釣り仕掛け４７ａを海から引き上げ、魚釣具Ａにおける収容本体１と蓋体２とをその止着手段１１により分離させると、簡単に、重り体３が取り出せる（交換も含む）、あるいは追加・調整できる状態となるので、空洞部内６や空間部１３内の重り体３における小重り３ａ，３ｂ増減させ、再び、止着手段１１によりを収容本体１と蓋体２とを連結すれば、直ちに、釣りを楽しむことができて、重り体３の重量調整に手間と時間等が掛からない。
【００６５】
特に、この第二実施例にあって、従来のてんびん重り７４のように、針金からなる道糸取付杆７２やハリス取付杆７３などを介することなく、道糸３５と釣り仕掛け４７ａとは接続釣り糸３４により一連状に連結させたものであるから、釣り針に掛かった魚の当たりは、釣り仕掛け４７ａから接続釣り糸３４，道糸３５と直接的に伝達され、釣り人の当たりに対する反応が鋭敏となって、一層の釣果の増大につながる。
【図面の簡単な説明】
【００６６】
【図１】本発明に関する魚釣具の第一実施例を示す縦断正面図である。
【図２−１】図１における魚釣具を一部破断して示す斜視図である。
【図２−２】図１における魚釣具の第一または第二通孔の穿設状態の各例を示す外観図である。
【図３】図１における魚釣具に用いる重り体を示す斜視図ある。
【図４】図１における魚釣具の使用状態を示す説明図である。
【図５】図１における魚釣具の水中での動きを示すもので、（ａ）は水中突起部へ沿った状態の側面図を、（ｂ）は魚釣具の水中突起物の間へ入った状態の平面図をそれぞれ示す。
【図６】本発明に関する魚釣具の第二実施例を示す縦断正面図で、（ａ）は収容本体と蓋体とに第一および第二通孔を設けた例を示し、（ｂ）は収容本体と蓋体とに第一および第二通孔を設けない例を示す。
【図７】図６における魚釣具を分解して示す斜視図である。
【図８】図６における魚釣具を収容本体部において横断して示す断面図である。
【図９−１】図６における魚釣具の遠投したときの状態を示す説明図である。
【図９−２】図６における魚釣具の第一あるいは第二通孔の穿設状態の各例を示し、また、第一あるいは第二通孔のない場合の例を示す外観図である。
【図１０】図６における魚釣具の止着手段の要部を示す斜視図である。
【図１１】図１０における魚釣具の止着手段の要部の断面図である。
【図１２−１】図１０における魚釣具の止着手段の他例を示す要部の断面図である。
【図１２−２】図６における魚釣具の収容本体と内部筒部材との他例を示す要部の断面図である。
【図１２−３】図７における魚釣具の保護部材の例にあって、その先端部と後端部に曲面形状を形成させた状態を示す断面図である。
【図１３】従来の釣り用重り（鮎ゴロ引き釣り）を示す斜視図である。
【図１４】図１３における釣り用重りの使用状態を示す説明図である。
【図１５】従来の釣り用重り（投げ釣り）の使用状態を示す説明図である。
【符号の説明】
【００６７】
Ａ…魚釣具．１…収容本体．２…蓋体．３…重り体．４…空洞部．５…底部．６…開口部．７…下部釣り糸．８…接続具．１０…第一通孔．１１…止着手段．１４…上部釣り糸．１６…第二通孔．３０…内部筒部材．３０ｂ１，３０ｃ１…先端部３０ｂと後端部３０ｃとの内・外端縁．３４…接続釣り糸．３５…道糸．３７…切り欠き．３９…保護部材．４１…止め手段．４２…係止段部．４３…係合部材．４６…撚り戻し．４７…ハリス．４７ａ…釣り仕掛け．
【図１】
2005013207.tif 000003
【図２−１】
2005013207.tif 000004
【図２−２】
2005013207.tif 000005
【図３】
2005013207.tif 000006
【図４】
2005013207.tif 000007
【図５】
2005013207.tif 000008
【図６】
2005013207.tif 000009
【図７】
2005013207.tif 000010
【図８】
2005013207.tif 000011
【図９−１】
2005013207.tif 000012
【図９−２】
2005013207.tif 000013
【図１０】
2005013207.tif 000014
【図１１】
2005013207.tif 000015
【図１２−１】
2005013207.tif 000016
【図１２−２】
2005013207.tif 000017
【図１２−３】
2005013207.tif 000018
【図１３】
2005013207.tif 000019
【図１４】
2005013207.tif 000020
【図１５】
2005013207.tif 000021
【手続補正書】
【提出日】平成15年10月1日(2003.10.1)
【手続補正１】
【補正対象書類名】特許請求の範囲
【補正対象項目名】全文
【補正方法】変更
【補正の内容】
【特許請求の範囲】
【請求項１】
内部に空洞部を形成させ一側部に底部を設けると共に他側部に開口部を設けた筒状の収容本体と、この収容本体の開口部へ止着手段により着脱自在に設けた蓋体と、前記収容本体内の空洞部や蓋体内の空間部へ収容させる複数個の重り体とを備えさせ、
前記収容本体の底部における外周端部を略半球状に形成してあって、この収容本体の底部において、下部釣り糸を接続させる接続具を取り付け、
この接続具は、前記収容本体の底部に設けた止め孔へ通して、該収容本体内側を結び目により抜け止めしてなり、
前記蓋体は、前記収容本体の開口部より先端部へ向かってつぼまる略円錐状に形成してあって、この蓋体の前記先端部には、上部釣り糸を接続させる接続具または上部釣り糸を取り付けてなり、
この接続具または上部釣り糸は、前記蓋体の先端部に穿設した止め孔へ通して、該蓋体内側を結び目により抜け止めしてなることを特徴とする魚釣具。
【請求項２】
内部に空洞部を形成させ一側部に底部を設けると共に他側部に開口部を設けた筒状の収容本体と、この収容本体の開口部へ止着手段により着脱自在に設けた蓋体と、前記収容本体内の空洞部や蓋体内の空間部へ収容させる複数個の重り体とを備えさせ、
前記収容本体の底部における外周端部を略平滑状に形成してあり、
前記蓋体は、前記収容本体の開口部よりつぼまる略円錐状に形成してあって、
前記収容本体と前記蓋体との軸方向において、これら収容本体と蓋体とにわたってその略中心部に内部筒部材を設け、
この内部筒部材内に接続釣り糸を移動自在に通してその両端部を、前記収容本体と前記蓋体との外端部より持ち出すように設けてあり、
前記収容本体側より突出した前記接続釣り糸へ前記内部筒部材とは別部材となる保護部材を係合させてあり、
この係合は、前記保護部材内の中空部へ前記接続釣り糸を挿通させてなり、
該接続釣り糸は、前記収容体本体の下部外端部において揺動自在に設けられ、この接続釣り糸に係合させた前記保護部材を側方へ回動自在に設けてあり、
前記接続釣り糸は、前記収容本体の底部において該接続釣り糸の長さ方向に対する移動を規制させる止め手段を設けたことを特徴とする魚釣具。
【請求項３】
止め手段は、接続釣り糸と、該接続釣り糸をその中空部に通した内部筒部材と、この内部筒部材の下側において前記接続釣り糸をその中空部に通した保護部材とを有し、
前記保護部材は、前記接続釣り糸の下端部に取り付けられた撚り戻しに、その下部を支承され、該保護部材の上端部を、収容本体に取り付けられた前記内部筒部材の下端部に接近や当接させてなり、
前記保護部材は、前記接続釣り糸に取り付けられたとき、該接続釣り糸の下部に取り付けられた前記撚り戻しによって、前記接続釣り糸の下側への移動が規制されるものであり、
前記接続釣り糸は、蓋体の上部において、魚が釣り針に掛かったときの当たり量となる寸法のゆとりが設けられたことを特徴とする請求項２記載の魚釣具。
【請求項４】
内部筒部材の内部に形成した中空部における内径は、該内部筒部材における先端部の内径より、この内部筒部材における後端部の内径の方が大きくなるテーパー状に形成させたことを特徴とする請求項２記載の魚釣具。
【手続補正２】
【補正対象書類名】明細書
【補正対象項目名】全文
【補正方法】変更
【補正の内容】
【発明の詳細な説明】
【技術分野】
【０００１】
本発明は、魚釣りに際して、釣り場や釣り魚に合わせて使用する重りの重量を任意でかつ容易に変更することができる魚釣具に関する。
【背景技術】
【０００２】
魚釣りに際して、良好な釣果が得られる要点の一つとして、釣り場や釣り魚に合わせて、釣り仕掛けに使用する重りの重さを適宜選定あるいは調整することが知られている。
従来、釣り仕掛けの途中に設けられた重りは、その変更が必要なときは、釣り糸と、釣り針との間に設けたこの重りを外し、あらかじめ用意してある別の重さの重りを選定して付け替えたり、あるいは、別の重りが取り付けられている釣り仕掛け全体を釣り竿から外し交換して対応していた。
【０００３】
そのため、この重りの交換作業が甚だ面倒で、しかも、結糸は指先での細かい作業が要求されて、釣場等の作業環境が余りよくない場所での交換は困難なことが多い。
【０００４】
また、この釣り仕掛けに設けられた重り６０は、図１３に示すように、鉛などにより球形に成形されているため、例えば、鮎のゴロ引き釣りを行ったときなどは、図１４に示すように、この重り６０が川底の石６１などの間６１ａには入り込んだときは、この球形部が間６１ａに嵌り、釣り糸６２を右へ左へと動かしても外れず、ついには、無理に竿を操作して釣り糸６２を切るしか手だてがなく、貴重な釣り仕掛けを失ってしまう欠点があった。しかも、この切れた釣り仕掛けは釣り場にそのまま残存することになるため、河川などの自然環境に与える影響も極めて大きいものであった。
【０００５】
更に、海などにおける投げ釣り用に用いる重りは、図１５に示すように、例えば、フロート７０の付いた重錘７１を針金からなる道糸取付杆７２に挿嵌し、この道糸取付杆７２に針金からなるハリス取付杆７３を回動できるように取り付けた、いわゆる、全体が一体化されたてんびん重り７４が知られている。
このてんびん重り７４も前記重り６０と同様に、該重り７４の重さを適宜選定あるいは調整使用とすると、すでに取り付けられている道糸７５およびハリス７６から、この重り７４を切り離し、新たに、希望する他の重量の重りを道糸７５およびハリス７６へ結着させなければならず、重りの重量に合わせて多数種類のものを用意し、持参しなければならず、しかも、この重りの交換作業が甚だ面倒で、しかも、結糸は指先での細かい作業が要求されて、釣場等の作業環境が余りよくない場所での交換は困難なことが多い。
【０００６】
しかも、道糸取付杆７２とハリス取付杆７３とは、これらの端部に設けた環状部７５ａ，７６ａによる接続のため、この接続部において絡みやすく、図１５に示すように、いつも、釣り仕掛けを投げ入れたとき、ハリス取付杆７３が側方への略９０゜に折曲するとは限らず、釣り針などを付けた釣り仕掛けが道糸７５やこの重り７４に絡み付く欠点があった。
【発明の開示】
【発明が解決しようとする課題】
【０００７】
本発明は前記した問題点を解決するためになされたもので、内部に空洞部を設けた筒状の収容本体の一側部に底部を設けると共に他側部に開口部を設けて、この収容本体の開口部へ止着手段により着脱自在に蓋体を設け、収容本体内の空洞部や蓋体内の空間部へ複数個の重り体を収容させることにより、釣り場や釣り魚に合わせて使用する重りの重量を任意でかつ容易に変更して、最良の釣果を得ることができる魚釣具を提供することを目的としている。
【課題を解決するための手段】
【０００８】
前記した目的を達成するための本発明の手段は、
内部に空洞部を形成させ一側部に底部を設けると共に他側部に開口部を設けた筒状の収容本体と、この収容本体の開口部へ止着手段により着脱自在に設けた蓋体と、前記収容本体内の空洞部や蓋体内の空間部へ収容させる複数個の重り体とを備えさせ、
前記収容本体の底部における外周端部を略半球状に形成してあって、この収容本体の底部において、下部釣り糸を接続させる接続具を取り付け、
この接続具は、前記収容本体の底部に設けた止め孔へ通して、該収容本体内側を結び目により抜け止めしてなり、
前記蓋体は、前記収容本体の開口部より先端部へ向かってつぼまる略円錐状に形成してあって、この蓋体の前記先端部には、上部釣り糸を接続させる接続具または上部釣り糸を取り付けてなり、
この接続具または上部釣り糸は、前記蓋体の先端部に穿設した止め孔へ通して、該蓋体内側を結び目により抜け止めしてなる魚釣具の構成にある。
【０００９】
内部に空洞部を形成させ一側部に底部を設けると共に他側部に開口部を設けた筒状の収容本体と、この収容本体の開口部へ止着手段により着脱自在に設けた蓋体と、前記収容本体内の空洞部や蓋体内の空間部へ収容させる複数個の重り体とを備えさせ、
前記収容本体の底部における外周端部を略平滑状に形成してあり、
前記蓋体は、前記収容本体の開口部よりつぼまる略円錐状に形成してあって、
前記収容本体と前記蓋体との軸方向において、これら収容本体と蓋体とにわたってその略中心部に内部筒部材を設け、
この内部筒部材内に接続釣り糸を移動自在に通してその両端部を、前記収容本体と前記蓋体との外端部より持ち出すように設けてあり、
前記収容本体側より突出した前記接続釣り糸へ前記内部筒部材とは別部材となる保護部材を係合させてあり、
この係合は、前記保護部材内の中空部へ前記接続釣り糸を挿通させてなり、
該接続釣り糸は、前記収容体本体の下部外端部において揺動自在に設けられ、この接続釣り糸に係合させた前記保護部材を側方へ回動自在に設けてあり、
前記接続釣り糸は、前記収容本体の底部において該接続釣り糸の長さ方向に対する移動を規制させる止め手段を設けた魚釣具の構成にある。
【００１０】
止め手段は、接続釣り糸と、該接続釣り糸をその中空部に通した内部筒部材と、この内部筒部材の下側において前記接続釣り糸をその中空部に通した保護部材とを有し、
前記保護部材は、前記接続釣り糸の下端部に取り付けられた撚り戻しに、その下部を支承され、該保護部材の上端部を、収容本体に取り付けられた前記内部筒部材の下端部に接近や当接させてなり、
前記保護部材は、前記接続釣り糸に取り付けられたとき、該接続釣り糸の下部に取り付けられた前記撚り戻しによって、前記接続釣り糸の下側への移動が規制されるものであり、
前記接続釣り糸は、蓋体の上部において、魚が釣り針に掛かったときの当たり量となる寸法のゆとりが設けられる。
【００１１】
内部筒部材の内部に形成した中空部における内径は、該内部筒部材における先端部の内径より、この内部筒部材における後端部の内径の方が大きくなるテーパー状に形成させる。
【発明の効果】
【００１２】
本発明は、重りの重量の変更に際して、釣り糸の着脱作業を行うことなく簡単に行うことができる。
重りが石や岩などの間へ入り込みにくく、釣り仕掛けを失うことが可及的減少する。
【発明を実施するための最良の形態】
【００１３】
次に本発明に関する魚釣具の実施の一例を図面に基づいて説明する。
図１〜図２−１，図２−２および図４，図５においてＡは、第一の実施例を示す魚釣具で、例えば、鮎釣りのゴロ引き用などに使用されるものであって、収容本体１と、蓋体２と、重り体３とにより基本的に構成される。
【００１４】
そして、前記した収容本体１は、堅牢な合成樹脂等により断面円形や多角形などの縦長となる筒状に形成してあって、内部に一連状の空洞部４を設け、一側部（使用時に常時は下方に向いている位置）にその全面を塞いだ底部５を、他側部（使用時に常時は上方に向いている位置）に開口部６を設けてある。
【００１５】
また、該収容本体１の底部５における外周端部を略半球状に形成してあって、この収容本体１の底部５において、下部釣り糸７を接続させるたこ糸などの接続具８を取り付けてある。
この接続具８の収容本体１への取り付けに際しては、収容本体１の底部５において、該収容本体１を横断したその略中心位置に相当する箇所において穿設した止め孔９へ接続具８を通し、その一端に結び目８ａを設けることで、前記止め孔９からの抜け落ちが防止される。更に、この接続具８の他端にも結び目８ｂを設けて下部釣り糸７の結着を容易にさせる。
【００１６】
なお、この収容本体１の底部５には、後記する蓋体２を取り付けた際の、空洞部４および空間部１３に対する水の排出を行う第一通孔１０を一箇所または複数箇所にわたって設けてある。
【００１７】
前記した蓋体２は、収容本体１の開口部６へ止着手段１１により、該蓋体２の一側部１２を着脱自在に設けてあるもので、この収容本体１と同効質の素材により、かつ、少なくとも開口部６への取付部（一側部１２）は、この収容本体１と同様な断面形状を有していて、その内部に空間部１３が形成されている。
【００１８】
また、この蓋体２は、収容本体１の開口部６より、すなわち、該蓋体２の一側部１２よりつぼまる略円錐状に形成してあって、この蓋体２の先端部には、上部釣り糸１４を接続させる接続具（図示せず）または上部釣り糸１４を取り付けてある。
この上部釣り糸１４を接続させる接続具（図示せず）または上部釣り糸１４の取り付けに際しては、蓋体２の他端部において、該蓋体２を横断したその略中心位置に相当する箇所において、すなわち、略円錐形部のそのつぼまり端部に穿設した止め孔１５へ上部釣り糸１４（接続具）を通し、その一端に結び目１４ａを設けることで、前記止め孔１５からの抜け落ちが防止される。
【００１９】
また、この蓋体２の外周部適所には、収容本体１を取り付けた際の、空間部１３および空洞部４に対する水の流入を行う第二通孔１６を一箇所または複数箇所にわたって設けてある。
この第二通孔１６は、収容本体１に設けた第一通孔１０との相乗効果により、この魚釣具Ａを水中に投入したとき、速やかに、空洞部４および空間部１３へ水が入り込んで内部空気を排出し、該魚釣具Ａが内部空気が存在することによる浮き子状態となることを速やかに防止する。
なお、前記した第一通孔１０および第二通孔１６は、図２−２（ａ）に示すように、収容本体１に第一通孔１０，蓋体２に第二通孔１６を設けたり、必要に応じて、図２−２（ｂ）に示すように、収容本体１に設けた第一通孔１０のみを設けて、この第一通孔１０により水の流入出を兼用に行ったり、図２−２（ｃ）に示すように、蓋体２に設けた第二通孔１６のみを設けて、第二通孔１６により水の流入出を兼用に行ったする。更には、図２−２（ｄ）に示すように、収容本体１と蓋体２との外周部において、釣り糸の取付部（止め孔９，１５）を除いた箇所には、水や砂などの異物が、収容本体１の空洞部４や蓋体２の空間部１３に侵入する孔や隙間などを設けないこともある。
【００２０】
前記した止着手段１１は、収容本体１と蓋体２とを着脱自在に設けるもので、例えば、図１に示すように、収容本体１の開口部６に設けためねじ１７と、蓋体２の一側部１２に設けたおねじ１８との螺合に行ったり、図示してないが、収容本体１の開口部６と蓋体２の一側部１２との嵌合により行ったりするもので、簡便に脱着操作が行えるものであれば適宜な手段が選定し得る。
【００２１】
前記した重り体３は、釣り仕掛けに対して所定の重り作用を与えるもので、鉛製以外にも前記目的を達するものであれば任意の素材が使用することができる。
そして、収容本体１内の空洞部４や蓋体２内の空間部１３へ出し入れ自在に収容させるもので、収容本体１内へ納まり得る外径を有していて、該空洞部４内には複数個が設けられる。そして、この複数個の重り体３は、図３に示すように、大きさ（すなわち、重さ）を違えた２種類あるいは複数種類の小重り３ａ，３ｂ…が用意されているもので、これら複数の小重り３ａ，３ｂ…の組み合わせ収容によって、希望する全体重量の重り体３が得られる、あるいは、全体重量の微調整を行うことができる。
例えば、小重り３ｂが３個と、小重り３ａが２個により３０ｇの重量を有する重り体３を得る、とのように組み合わせ調整することができる。
更に、この重り体３は、収容本体１内の空洞部４以外にも、収容本体１内の空洞部４と一緒に蓋体２の空間部１３内にも収納することができる。
【００２２】
また、本発明実施例の魚釣具Ａは、その使用にあって、上部釣り糸１４により吊持されたとき、図１に示すように、蓋体２が上部にまた収容本体１が下部に位置するもので、その全体形状は、水滴の落下状態に似た形態となる。
更に、この魚釣具Ａを前記吊持位置から略９０゜倒したときは、収容本体１側に重心が常に存在するように構成される。このことは、収容本体１の空洞部４内の重り体３の収容容積が、蓋体２の空間部１３内の重り体３の収容容積より大きいことによるものである。
【００２３】
前記のように構成される本発明の第一の実施例の魚釣具Ａは、以下に述べる作用を奏する。
例えば、鮎のゴロ引き釣りに用いる場合には、釣竿に結着した道糸（上部釣り糸１４）の先端部を、魚釣具Ａにおける蓋体２の止め孔１５に挿入し、この道糸（上部釣り糸１４）の先端部に結び目１４ａを形成すると、止め孔１５に結び目１４ａが固定されて、道糸（上部釣り糸１４）の蓋体２からの抜け止めが防止される。
【００２４】
また、収容本体１の接続具８に釣り針を多数取り付けた仕掛けを有する下部釣り糸７を結着しておき、釣場等の状況などに相応して、重り体３の全体重量を選定し、その小重り３ａ，３ｂを組み合わせて希望する重り体３となるように、これら小重り３ａ，３ｂを収容本体１の空洞部内６や蓋体２の空間部１３内へ収容し、収容体１と蓋体２とを止着手段１１により連結する。
【００２５】
これにより、釣り仕掛け全体が形成されるので、川にこの釣り仕掛けを放ち、水中あるいは川底へ前記釣り仕掛けを移動させると、魚釣具Ａがその重りにより川底へ速やかに沈み、図４に示すように、その後部に接続された多数の釣り針２０が水中あるいは川底を這うように回転しながら移動する。
このとき、魚釣具Ａは、蓋体２あるいは収容本体１に第二通孔１６あるいは第一通孔１０が設けられているため、上部釣り糸１４を引っ張ったとき、水が第二通孔１６から流入し、第一通孔１０から排出して魚釣具Ａ内を流動する。この水の流動は、魚釣具Ａ内に入り込んだ砂やゴミなどの異物排除の効果もある。
したがって、釣り糸１４を引いたとき、瞬間的に、該魚釣具Ａに移動抵抗が掛かり、この魚釣具Ａが水中において上下方向へ横方向へと自由なスイング動作を起こし、急激な浮き上がり現象を抑え、程良い緩やかな浮き上がり・浮き沈み運動を生じさせて、水中での停滞時間を可及的延長させることができ、釣果の大幅な向上につながる。
【００２６】
もし、この重り体３の重量が不満足の場合には、釣り仕掛け全体を川から引き上げ、魚釣具Ａにおける収容本体１と蓋体２とをその止着手段１１により分離させると、重り体３が取り出せるあるいは追加できる状態となるので、空洞部内６や空間部１３内の重り体３における小重り３ａ，３ｂを増減させ、再び、止着手段１１によりを収容本体１と蓋体２とを連結すれば、直ちに、釣りを楽しむことができて、重り体３の重量調整に手間と時間等が掛からない。
【００２７】
更に、釣り中に、重りとなった魚釣具Ａが、川底の石や岩などの突起物２１に接近すると、該魚釣具Ａは収容本体１側に重心があるため、蓋体２より下方に該収容本体１側がその姿勢を位置し、図５（ａ）に示すように、突起物２１へ斜めに姿勢で当接するもので、この突起物２１へ引っ掛かることなく、円滑にこの魚釣具Ａにおける収容本体１と蓋体２の外周面が突起物２１面に馴染んで引っ張られる。
また、収容本体１の底部５が略半球状に形成されていれば、突起物２１面への馴染みが一層良好となって、突起物２１への引っ掛かりが解消される。
【００２８】
もし、川底の石や岩などの突起物２１の間へ魚釣具Ａが入り込もうとして引っ掛かったときは、その衝撃が竿に伝達されるので、一旦、釣り仕掛けの引きずりを止め、今まで、釣り仕掛けを引っ張っていた方向と逆方向へ、または、斜め方向へあるいは横方向へ、上部釣り糸１４を釣り竿と共に移動させると、その上部釣り糸１４の回動によって、図５（ｂ）に示すように、魚釣具Ａが収容本体１の底部５を略中心として揺動するので、突起物２１の間に位置した蓋体２は容易にこの間から抜け出る（外れる）ことができ、魚釣具Ａの突起物２１の間への嵌り込みが防止される。
【００２９】
特に、この魚釣具Ａは、その収容本体１の底部５を略中心として、上部釣り糸１４を適宜な３６０゜方向へ移動させることで、収容本体１と蓋体２とが一体となって、その引っ張られた方向へ全体姿勢を変更するから、多少、魚釣具Ａの突起物２１の間への嵌り込みを生じても、容易にこの間からの抜け出し（外れ出し）がなされる。このことは、蓋体２が略円錐形に形成され。かつ、収容本体１側に魚釣具Ａの重心があること、および、収容本体１の底部が略半球状に形成されているため、前記した魚釣具Ａの３６０゜方向へ移動が円滑に行われる。
また、蓋体２の略円錐形は、突起物２１の間への嵌り込みもできるだけ最小限に抑えることができる。
【００３０】
次に、図６および図９−１，図９−２においてＡは第二の実施例を示す魚釣具で、例えば、投げ釣り用仕掛けなどに使用されるものであって、前記した第一の実施例と同様に、収容本体１と、蓋体２と、重り体３とにより基本的に構成される。
【００３１】
そして、前記した収容本体１は、堅牢な合成樹脂等により断面円形や多角形などの縦長となる筒状に形成してあって、内部に一連状の空洞部４を設け、一側部（使用時に常時は下方に向いている位置）にその全面を塞いだ底部５を、他側部（使用時に常時は上方に向いている位置）に開口部６を設けてある。
【００３２】
また、該収容本体１の底部５における外周端部を略平滑状あるいは図６，図１１等に示すように、内方へ凹む円弧状の凹部をなすように形成してある。
【００３３】
なお、この収容本体１の外周部は、図６（ｂ）に示すように、砂などの異物が入らないように孔や隙間などを設けない外側部を有していて、該収容本体１の空洞部４とは全く外部と連通しないように設けられているものであるが、必要に応じて、この収容本体１の底部５に、図６（ａ），図１０〜図１１などに示すように、後記する蓋体２を取り付けた際の、空洞部４および空間部１３に対する水の排出を行う第一通孔１０を一箇所または複数箇所にわたって設けることもある。
【００３４】
前記した蓋体２は、収容本体１の開口部６へ止着手段１１により、この蓋体２の一側部１２を着脱自在に設けてあるもので、この収容本体１と同効質の素材により、かつ、少なくとも開口部６への取付部（一側部１２）は、該収容本体１と同様な断面形状を有していて、その内部に空間部１３が形成されている。
【００３５】
また、この蓋体２は、収容本体１の開口部６より、すなわち、該蓋体２の一側部１２よりつぼまる略円錐状に形成してあって、蓋体２の他端部において、該蓋体２を横断したその略中心位置に相当する箇所において、すなわち、略円錐形部のそのつぼまり端部に、後記する内部筒部材３０が挿入される貫通孔３１が設けられている。
【００３６】
また、この蓋体２の外周部は、図６（ｂ）に示すように、砂などの異物が入らないように孔や隙間などを設けない外側部を有していて、該蓋体２の空間部１３とは全く外部と連通しないように設けられているものであるが、必要に応じて、この蓋体２の外周部適所には、図６（ａ）〜図７，図９−１などに示すように、収容本体１を取り付けた際の、空間部１３および空洞部４に対する水の流入を行う第二通孔１６を一箇所または複数箇所にわたって設けてある。
なお、この第二通孔１６は、収容本体１に設けた第一通孔１０との相乗効果により、この魚釣具Ａを水中に投入したとき、速やかに、空洞部４および空間部１３へ水が入り込んで内部空気を排出し、該魚釣具Ａが内部空気が存在することによる浮き子状態となることを防止する。
なお、前記した第一通孔１０および第二通孔１６は、図９−２（ａ）に示すように、収容本体１に第一通孔１０，蓋体２に第二通孔１６を設けたり、必要に応じて、図９−２（ｂ）に示すように、収容本体１に設けた第一通孔１０のみを設けて、この第一通孔１０により水の流入出を兼用に行ったり、図９−２（ｃ）に示すように、蓋体２に設けた第二通孔１６のみを設けて、第二通孔１６により水の流入出を兼用に行ったりする。更には、図９−２（ｄ）に示すように、収容本体１と蓋体２との外周部において、釣り糸の取付部（貫通孔３１）を除いた箇所には、水や砂などの異物が、収容本体１の空洞部４や蓋体２の空間部１３に侵入する孔や隙間などを設けないことがあるもので、この場合、空洞部４および空間部１３に存在する空気の排出は行わないこともあると共に、前記釣り糸の取付部（貫通孔３１）より空洞部４および空間部１３に存在する空気の排出が行えて、内部に水が充満し浮き子状態にさせない場合もある。
【００３７】
前記した止着手段１１は、収容本体１と蓋体２とを着脱自在に設けるもので、例えば、図６に示すように、収容本体１の開口部６に設けた係止内縁３２と、蓋体２の一側部１２に設けた係止受部３３との螺合に行ったり、図示してないが、収容本体１の開口部６と蓋体２の一側部１２とに設けたねじによる螺合により行ったりするもので、簡便に脱着操作が行えるものであれば適宜な手段が選定し得る。
【００３８】
なお、前記した内部筒部材３０は、合成樹脂等により内部を空洞とした中空部３０ａを有するパイプ状に形成してあって、収容本体１と蓋体２との軸方向において、これら収容本体１と蓋体２とにわたって、それらの略中心部における収容本体１の係止孔４０と蓋体２の貫通孔３１とに挿入させてある。
なお、該内部筒部材３０の収容本体１および蓋体２への取り付けは、収容本体１における貫通孔３１に対しては、該貫通孔３１が内部筒部材３０の外周部に対して摺動自在に係合することで、重り体３の交換時等において蓋体２の取り外し，取り外しの作業を簡便に行うことができる。
また、収容本体１の係止孔４０にあっては、図１２−１に示すように、内部筒部材３０の下端部とこの係止孔４０とを接着や溶着などの固定手段４０ａにより固定することが好ましい。更には、図１２−２に示すように、収容本体１と内部筒部材３０とを一体成形する場合もある。
そして、この内部筒部材３０内の中空部３０ａに接続釣り糸３４を、少なくとも軸方向（縦方向）に対して移動自在に通して、その両端部を、収容本体１と蓋体２との外端部よりそれぞれ持ち出すように（収容本体１と蓋体２との中を通った接続釣り糸３４は該収容本体１と蓋体２との外端部から所定長さ分が連続して引き出された突出状態に）設けてある。これにより、接続釣り糸３４の他物への摩擦接触をなくして糸切れを防止することができる。
この接続釣り糸３４の上端部は、釣り竿（図示せず）に結着した道糸３５に対して撚り戻し３６を介して取り付けてある。
【００３９】
なお、内部筒部材３０内部に形成した中空部３０ａにおけるその内径は、図１２−２に示すように、該内部筒部材３０における先端部３０ｂの内径Ｄ１より、この部筒部材３０における後端部３０ｃの内径Ｄ２の方が大きく（Ｄ１＜Ｄ２）なるように、すなわち、魚釣具Ａの進行方向（同図において示す矢印Ｋ方向）に対してテーパー状となるように形成しておけば、内部筒部材３０内部に水や砂などの異物が入り込んだときでも、円滑に前記異物を排出させることができると共に、入り込んだ砂などによる摩擦等によって、接続釣り糸３４を損傷，折損させない。
また、中空部３０ａをテーパー状に形成させることで、この内部筒部材３０内壁に対する接続釣り糸３４の接触摩擦が可及的に減少させることができ、アタリ時の検知を向上させることができる。
この内部筒部材３０内部に形成した中空部３０ａにおけるその内径は、前記したようにテーパー形状以外にも、ストレート形状に、すなわち、同径（Ｄ１＝Ｄ２）に形成してもよい。
【００４０】
更に、この内部筒部材３０にあって、その先端部３０ｂと後端部３０ｃとの内端縁３０ｂ１，外端縁３０ｃ１を、図１２−２において、Ｓ部拡大図およびＲ部拡大図に示すように、曲面形状（アール面）に設けることで、接続釣り糸３４との接触が柔軟的となって、釣り使用時や本魚釣具Ａの保管時に際しても該接続釣り糸３４を傷めることがない。
また、この内部筒部材３０を収容本体１と一体的に設けない場合（図７に示すような場合）であっても、その先端部３０ｂと後端部３０ｃとの内端縁３０ｂ１，外端縁３０ｃ１を、曲面形状（アール面）に設けることができる。
しかし、この内・外端縁３０ｂ１，３０ｃ１は曲面形状（アール面）を設けない略直角形状であっても、接続釣り糸３４を傷めることはあるものの、釣り具としての使用上問題ない場合もある。
【００４１】
前記した重り体３は、釣り仕掛けに対して所定の重り作用を与えるもので、鉛製以外にも前記目的を達するものであれば任意の素材が使用することができる。
そして、収容本体１内の空洞部４や蓋体２内の空間部１３へ出し入れ自在に収容させるもので、収容本体１内へ納まり得る外径を有していて、該空洞部４内には複数個が設けられる。そして、この複数個の重り体３は、図７に示すように、大きさ（すなわち、重さ）を違えた小重り３ａ，３ｂ…が用意されているもので、これら複数の小重り３ａ，３ｂ…の組み合わせ収容によって、希望する全体重量の重り体３が得られる。例えば、小重り３ｂが３個と、小重り３ａが２個により３０ｇの重量を有する重り体３を得る、とのように組み合わせ調整することができる、あるいは、全体重量の微調整を行うことができる。
更に、この重り体３は、収容本体１内の空洞部４以外にも、収容本体１内の空洞部４と一緒に蓋体２の空間部１３内にも収納することができる。
また、収容本体１の空洞部４内の重り体３の収容容積が、蓋体２の空間部１３内の重り体３の収容容積より大きく設ける、いわゆる、収容本体１側に魚釣具Ａの重心を設ける。
【００４２】
また、この重り体３は、収容本体１の空洞部４や蓋体２の空間部１３への収納性を良好にするため、内部筒部材３０との干渉を避ける切り欠き３７を設けてあって、この内部筒部材３０へ該内部筒部材３０の外側より脱着あるいは係脱自在となる。
【００４３】
更に、収容本体１側の外端部より突出した接続釣り糸３４へ保護部材３９を係合させてある。この係合にあっては、パイプ状の前記保護部材３９内へ接続釣り糸３４を挿通させることでなされる。この保護部材３９は、その内部に空洞状の中空部３９ａが形成されているもので、該中空部３９ａは、その内径が上部Ｄ３から下部Ｄ４へ向かうにしたがってテーパー状に広がるように形成することがあり、中空部３９ａ内部に水や砂などの異物が入り込んだときでも、円滑に前記異物を排出させることができると共に、入り込んだ砂などによる摩擦等によって、接続釣り糸３４を損傷，折損させない。
また、前記したように、中空部３９ａをテーパー状に形成させることで、この保護部材３９内壁に対する接続釣り糸３４の接触摩擦が可及的に減少させることができ、アタリ時の検知を向上させることができる。
この保護部材３９内部に形成した中空部３９ａにおけるその内径は、前記したようにテーパー形状以外にも、ストレート形状に、すなわち、上部Ｄ３と下部Ｄ４とが同径（Ｄ３＝Ｄ４）に形成してもよい。
この保護部材３９は、この魚釣具Ａと共にこの下部に接続させた釣り仕掛けを遠投したとき、該保護部材３９が、図９−１に示すように、前記釣り仕掛け４７ａに取り付けた餌などが、該魚釣具Ａやテグスなどに絡み付くことを防止する。
また、接続釣り糸３４の他物への摩擦接触をなくして糸切れを防止することができる。更に、この保護部材３９の長さを適宜調整変更させることにより、釣り場にあってその風向きや風力などにほとんど影響されることなく、前記魚釣具Ａやテグスなどへの絡み付き防止が一層助長される。
なお、この保護部材３９にあって、その先端部３９ｂと後端部３９ｃとの内端縁３９ｂ１，外端縁３９ｃ１を、図１２−３において、Ｓ１部拡大図およびＲ１部拡大図に示すように、曲面形状（アール面）に設けることで、接続釣り糸３４との接触が柔軟的となって、釣り使用時や本魚釣具Ａの保管時に際しても該接続釣り糸３４を傷めることがない。
しかし、この内端縁３９ｂ１，外端縁３９ｃ１は曲面形状（アール面）を設けない略直角形状であっても、接続釣り糸３４を傷めることはあるものの、釣り具としての使用上問題ない場合もある。
【００４４】
また、この保護部材３９の接続釣り糸３４への取り付けにあっては、魚釣具Ａを該接続釣り糸３４の所定位置へ取り付けることで、必然的に、収容本体１の底部５における外端部より吊持された状態で設けられる。
そして、魚釣具Ａの接続釣り糸３４への所定位置の取り付けにあっては、収容本体１の底部５における外端部において、接続釣り糸３４の長さ方向（軸方向）に対する移動を規制させる止め手段４１を設けることでなされる。
【００４５】
すなわち、この止め手段４１は、接続釣り糸３４に設けた係止段部４２と、この係止段部４２と収容本体１の外端部とに係合する係合部材４３とを有する。
このうち、係止段部４２は、接続釣り糸３４の希望する位置に一重あるいは二重の結び目を設けることで容易に形成されるもので、この係止段部４２の形成位置が、図６（ａ）に示すように、蓋体２の外端部と、この外端部より上方において接続釣り糸３４に設けた撚り戻し３６とのゆとりｘが、魚が釣り針に掛かったときの当たり量となる。
【００４６】
また、係止部材４３は、可撓性を有する合成樹脂板により形成してあって、その中心部（半径方向）まで切れ目４４を設けてある。
したがって、この係止部材４３を、図１０に示すように、切れ目４４に沿って撓ませ、接続釣り糸３４の外周部へ係合させてこの切れ目４４の最終端まで押し込んだ後、撓みを解除させると、係止部材４３は元の平滑状に復元し、それにより、接続釣り糸３４を所定の力で挟み付ける。そのため、魚釣具Ａの重量がこの係止部材４３に掛かったとき、接続釣り糸３４の係止段部４２に、該魚釣具Ａの重量を係止部材４３を介して支承することができ、魚釣具Ａの接続釣り糸３４への取付位置の調整をワンタッチにより行うことができる。
【００４７】
更に、なお、該止め手段４１は、前記係止段部４２や係止部材４３を用いることなく接続釣り糸３４の長さ方向（軸方向）に対する移動を規制させる、および位置決めさせることができるもので、この場合、図６（ｂ）に示すように、接続釣り糸３４の下端部に取り付けられた撚り戻し４６にその下部を支承された保護部材３９の上端部を、内部筒部材３０の下端部に接近（当接）させた状態に構成させることで、同様の作用効果を奏する。
また、この保護部材３９の上端部と内部筒部材３０の下端部との当接位置の形態が、図６（ｂ）に示すように、蓋体２の外端部と、この外端部より上方において接続釣り糸３４に設けた撚り戻し３６とのゆとりｘが、魚が釣り針に掛かったときの当たり量となる。
【００４８】
更に、この止め手段４１の他の例として、図１２−１に示すように、収容本体１における底部５の外端部へ係合する接続釣り糸３４の係止段部４２のみであっても構わないものである。この係止段部４２は、例えば、接続釣り糸３４に設けた一重または二重の結び目や、図示してない、簡単に接続釣り糸３４へ取り付けられる半割状のかしめ管や急速硬化性樹脂の貼着など任意の手段が選定し得る。
【００４９】
なお、前記した保護部材３９は、接続釣り糸３４に取り付けられたとき、該接続釣り糸３４の下部に取り付けられた撚り戻し４６によって、接続釣り糸３４の下側への移動が規制される。
また、撚り戻し４６の下側には、重りや釣り針等の釣り仕掛け４７ａが結着される。
更に、内部筒部材３０内へ移動自在に通した接続釣り糸３４は、その上端部に道糸３５を接続し、接続釣り糸３４の下端部にハリス４７に取り付けた釣り仕掛け４７ａを接続してあり、接続釣り糸３４と道糸３５とハリス４７とは、合成樹脂製からなるテグスであって、これら接続釣り糸３４と道糸３５とハリス４７とは、一連状に接続される。したがって、これにより、魚が掛かったアタリが直接的に、釣り針の付いた釣り仕掛け４７ａからハリス４７、接続釣り糸３４、道糸３５と伝達されて釣り人が持つ釣竿に伝わるので、どんな小さな魚や、引きの弱い魚であっても、前記アタリを逃すことなく釣果の向上に寄与できる。
【００５０】
前記のように構成される本発明の第二の実施例の魚釣具Ａは、以下に述べる作用を奏する。
例えば、この魚釣具Ａを、海において投げ釣り（他の釣りにも採用可能）に用いる場合には、釣竿に結着した道糸（上部釣り糸）３５の先端部を、撚り戻し３６を介して魚釣具Ａにおける接続釣り糸３４へ結着し、重りや釣り針等の釣り仕掛け４７ａを撚り戻し４６を介して接続釣り糸３４へ結着する。
【００５１】
また、釣場等の状況（潮の流れや海の深さ，魚の種類など）に相応して、重り体３の全体重量を選定し、その小重り３ａ，３ｂを組み合わせて希望する重り体３となるように、これら小重り３ａ，３ｂを収容本体１の空洞部内６や蓋体２の空間部１３内へ収容し、収容体１と蓋体２とを止着手段１１により連結する。
【００５２】
これにより、海釣り用の仕掛け全体が形成されるので、海へ、この魚釣具Ａと共に釣り仕掛け４７ａを投げ入れると、重りである魚釣具Ａと共にその下部の仕掛け４７が海に向かって飛んで行くもので、このとき、魚釣具Ａには、収容本体１の下部外端部に保護部材３９により接続釣り糸３４を外包しているので、この接続釣り糸３４に所定の保形作用が働いて、図９−１に示すように、下部の仕掛け４７と魚釣具Ａにおける収容本体１，蓋体２との間に所定の間隔Lを形成する。
そのため、釣り仕掛け４７ａに取り付けた釣り針や餌などが、該魚釣具Ａやテグス（道糸３５）などに絡み付かない。
特に、収容本体１の下部外端部の接続釣り糸３４は、該接続釣り糸３４のみが揺動が自由となっているため、保護部材３９の回動方向を任意（自由）に与えることができて、一層、釣り仕掛け４７ａや道糸３５などの絡み付きが防止される。
更には、収容本体１の底部５を平滑状あるいは凹状に形成させることで、接続釣り糸３４のみの揺動自由と相俟って、保護部材３９が容易に略９０゜まで屈曲することができ、釣り糸を投げたときの空中姿勢にあって、この保護部材３９の略９０゜の姿勢を保持させることができる。
【００５３】
水中に放たれた魚釣具Ａは、収容本体１，蓋体２内の重り体３の重りにより、海底へ速やかに沈み、釣りポイントに移動する。
このとき、魚釣具Ａは、蓋体２あるいは収容本体１に第二通孔１６あるいは第一通孔１０を設けたときは、自然にあるいは道糸３５を引っ張ったとき、水が第二通孔１６から流入し、第一通孔１０から排出されて魚釣具Ａ内を流動するので、速やかに、空洞部４や空間部１３内の空気や異物あるいは侵入した砂などを排出させ、かつ、魚釣具Ａの必要以上の浮き上がりを防止する。
また、水中において、道糸３５を引っ張ったとき、瞬間的に、該魚釣具Ａに移動抵抗が掛かり、この魚釣具Ａが水中において、過度な浮き上がりを抑えることができるため、底物の魚を釣るときは特に効果を発揮する。
また、魚釣具Ａの外形状を略円錐形に形成することで、適度な浮き上がりを生じさせることができて、水中での魚釣具Ａの停滞時間を可及的延長させることができ、該魚釣具Ａの程良い浮き上がりも生ずるため、根掛かりを防止することもできて、釣果の大幅な向上につながる。
【００５４】
使用にあって、もし、この重り体３の重量が不満足の場合には、魚釣具Ａと共に釣り仕掛け４７ａを海から引き上げ、魚釣具Ａにおける収容本体１と蓋体２とをその止着手段１１により分離させると、簡単に、重り体３が取り出せる（交換も含む）、あるいは追加・調整できる状態となるので、空洞部内６や空間部１３内の重り体３における小重り３ａ，３ｂ増減させ、再び、止着手段１１によりを収容本体１と蓋体２とを連結すれば、直ちに、釣りを楽しむことができて、重り体３の重量調整に手間と時間等が掛からない。
【００５５】
特に、この第二実施例にあって、従来のてんびん重り７４のように、針金からなる道糸取付杆７２やハリス取付杆７３などを介することなく、道糸３５と釣り仕掛け４７ａとは接続釣り糸３４により一連状に連結させたものであるから、釣り針に掛かった魚の当たりは、釣り仕掛け４７ａから接続釣り糸３４，道糸３５と直接的に伝達され、釣り人の当たりに対する反応が鋭敏となって、一層の釣果の増大につながる。
【図面の簡単な説明】
【００５６】
【図１】本発明に関する魚釣具の第一実施例を示す縦断正面図である。
【図２−１】図１における魚釣具を一部破断して示す斜視図である。
【図２−２】図１における魚釣具の第一または第二通孔の穿設状態の各例を示す外観図である。
【図３】図１における魚釣具に用いる重り体を示す斜視図ある。
【図４】図１における魚釣具の使用状態を示す説明図である。
【図５】図１における魚釣具の水中での動きを示すもので、（ａ）は水中突起部へ沿った状態の側面図を、（ｂ）は魚釣具の水中突起物の間へ入った状態の平面図をそれぞれ示す。
【図６】本発明に関する魚釣具の第二実施例を示す縦断正面図で、（ａ）は収容本体と蓋体とに第一および第二通孔を設けた例を示し、（ｂ）は収容本体と蓋体とに第一および第二通孔を設けない例を示す。
【図７】図６における魚釣具を分解して示す斜視図である。
【図８】図６における魚釣具を収容本体部において横断して示す断面図である。
【図９−１】図６における魚釣具の遠投したときの状態を示す説明図である。
【図９−２】図６における魚釣具の第一あるいは第二通孔の穿設状態の各例を示し、また、第一あるいは第二通孔のない場合の例を示す外観図である。
【図１０】図６における魚釣具の止着手段の要部を示す斜視図である。
【図１１】図１０における魚釣具の止着手段の要部の断面図である。
【図１２−１】図１０における魚釣具の止着手段の他例を示す要部の断面図である。
【図１２−２】図６における魚釣具の収容本体と内部筒部材との他例を示す要部の断面図である。
【図１２−３】図７における魚釣具の保護部材の例にあって、その先端部と後端部に曲面形状を形成させた状態を示す断面図である。
【図１３】従来の釣り用重り（鮎ゴロ引き釣り）を示す斜視図である。
【図１４】図１３における釣り用重りの使用状態を示す説明図である。
【図１５】従来の釣り用重り（投げ釣り）の使用状態を示す説明図である。
【符号の説明】
【００５７】
Ａ…魚釣具．１…収容本体．２…蓋体．３…重り体．４…空洞部．５…底部．６…開口部．７…下部釣り糸．８…接続具．１０…第一通孔．１１…止着手段．１４…上部釣り糸．１６…第二通孔．３０…内部筒部材．３０ｂ１，３０ｃ１…先端部３０ｂと後端部３０ｃとの内・外端縁．３４…接続釣り糸．３５…道糸．３７…切り欠き．３９…保護部材．４１…止め手段．４２…係止段部．４３…係合部材．４６…撚り戻し．４７…ハリス．４７ａ…釣り仕掛け．
【手続補正書】
【提出日】平成15年12月1日(2003.12.1)
【手続補正１】
【補正対象書類名】特許請求の範囲
【補正対象項目名】全文
【補正方法】変更
【補正の内容】
【特許請求の範囲】
【請求項１】
内部に空洞部を形成させ一側部に底部を設けると共に他側部に開口部を設けた筒状の収容本体と、この収容本体の開口部へ止着手段により着脱自在に設けた蓋体と、前記収容本体内の空洞部や蓋体内の空間部へ収容させる複数個の重り体とを備えさせ、
前記収容本体の底部における外周端部を略平滑状に形成してあり、
前記蓋体は、前記収容本体の開口部よりつぼまる略円錐状に形成してあって、
前記収容本体と前記蓋体との軸方向において、これら収容本体と蓋体とにわたってその略中心部に内部筒部材を設け、
この内部筒部材内に接続釣り糸を移動自在に通してその両端部を、前記収容本体と前記蓋体との外端部より持ち出すように設けてあり、
前記収容本体側より突出した前記接続釣り糸へ前記内部筒部材とは別部材となる保護部材を係合させてあり、
この係合は、前記保護部材内の中空部へ前記接続釣り糸を挿通させてなり、
該接続釣り糸は、前記収容体本体の下部外端部において揺動自在に設けられ、この接続釣り糸に係合させた前記保護部材を側方へ回動自在に設けてあり、
前記接続釣り糸は、前記収容本体の底部において該接続釣り糸の長さ方向に対する移動を規制させる止め手段を設けたことを特徴とする魚釣具。
【請求項２】
内部筒部材の内部に形成した中空部における内径は、該内部筒部材における先端部の内径より、この内部筒部材における後端部の内径の方が大きくなるテーパー状に形成させたことを特徴とする請求項１記載の魚釣具。
【手続補正２】
【補正対象書類名】明細書
【補正対象項目名】全文
【補正方法】変更
【補正の内容】
【発明の詳細な説明】
【技術分野】
【０００１】
本発明は、魚釣りに際して、釣り場や釣り魚に合わせて使用する重りの重量を任意でかつ容易に変更することができる魚釣具に関する。
【背景技術】
【０００２】
魚釣りに際して、良好な釣果が得られる要点の一つとして、釣り場や釣り魚に合わせて、釣り仕掛けに使用する重りの重さを適宜選定あるいは調整することが知られている。
従来、釣り仕掛けの途中に設けられた重りは、その変更が必要なときは、釣り糸と、釣り針との間に設けたこの重りを外し、あらかじめ用意してある別の重さの重りを選定して付け替えたり、あるいは、別の重りが取り付けられている釣り仕掛け全体を釣り竿から外し交換して対応していた。
【０００３】
そのため、この重りの交換作業が甚だ面倒で、しかも、結糸は指先での細かい作業が要求されて、釣場等の作業環境が余りよくない場所での交換は困難なことが多い。
【０００４】
また、この釣り仕掛けに設けられた重り６０は、図１３に示すように、鉛などにより球形に成形されているため、例えば、鮎のゴロ引き釣りを行ったときなどは、図１４に示すように、この重り６０が川底の石６１などの間６１ａには入り込んだときは、この球形部が間６１ａに嵌り、釣り糸６２を右へ左へと動かしても外れず、ついには、無理に竿を操作して釣り糸６２を切るしか手だてがなく、貴重な釣り仕掛けを失ってしまう欠点があった。しかも、この切れた釣り仕掛けは釣り場にそのまま残存することになるため、河川などの自然環境に与える影響も極めて大きいものであった。
【０００５】
更に、海などにおける投げ釣り用に用いる重りは、図１５に示すように、例えば、フロート７０の付いた重錘７１を針金からなる道糸取付杆７２に挿嵌し、この道糸取付杆７２に針金からなるハリス取付杆７３を回動できるように取り付けた、いわゆる、全体が一体化されたてんびん重り７４が知られている。
このてんびん重り７４も前記重り６０と同様に、該重り７４の重さを適宜選定あるいは調整使用とすると、すでに取り付けられている道糸７５およびハリス７６から、この重り７４を切り離し、新たに、希望する他の重量の重りを道糸７５およびハリス７６へ結着させなければならず、重りの重量に合わせて多数種類のものを用意し、持参しなければならず、しかも、この重りの交換作業が甚だ面倒で、しかも、結糸は指先での細かい作業が要求されて、釣場等の作業環境が余りよくない場所での交換は困難なことが多い。
【０００６】
しかも、道糸取付杆７２とハリス取付杆７３とは、これらの端部に設けた環状部７５ａ，７６ａによる接続のため、この接続部において絡みやすく、図１５に示すように、いつも、釣り仕掛けを投げ入れたとき、ハリス取付杆７３が側方への略９０゜に折曲するとは限らず、釣り針などを付けた釣り仕掛けが道糸７５やこの重り７４に絡み付く欠点があった。
【発明の開示】
【発明が解決しようとする課題】
【０００７】
本発明は前記した問題点を解決するためになされたもので、内部に空洞部を設けた筒状の収容本体の一側部に底部を設けると共に他側部に開口部を設けて、この収容本体の開口部へ止着手段により着脱自在に蓋体を設け、収容本体内の空洞部や蓋体内の空間部へ複数個の重り体を収容させることにより、釣り場や釣り魚に合わせて使用する重りの重量を任意でかつ容易に変更して、最良の釣果を得ることができる魚釣具を提供することを目的としている。
【課題を解決するための手段】
【０００８】
内部に空洞部を形成させ一側部に底部を設けると共に他側部に開口部を設けた筒状の収容本体と、この収容本体の開口部へ止着手段により着脱自在に設けた蓋体と、前記収容本体内の空洞部や蓋体内の空間部へ収容させる複数個の重り体とを備えさせ、
前記収容本体の底部における外周端部を略平滑状に形成してあり、
前記蓋体は、前記収容本体の開口部よりつぼまる略円錐状に形成してあって、
前記収容本体と前記蓋体との軸方向において、これら収容本体と蓋体とにわたってその略中心部に内部筒部材を設け、
この内部筒部材内に接続釣り糸を移動自在に通してその両端部を、前記収容本体と前記蓋体との外端部より持ち出すように設けてあり、
前記収容本体側より突出した前記接続釣り糸へ前記内部筒部材とは別部材となる保護部材を係合させてあり、
この係合は、前記保護部材内の中空部へ前記接続釣り糸を挿通させてなり、
該接続釣り糸は、前記収容体本体の下部外端部において揺動自在に設けられ、この接続釣り糸に係合させた前記保護部材を側方へ回動自在に設けてあり、
前記接続釣り糸は、前記収容本体の底部において該接続釣り糸の長さ方向に対する移動を規制させる止め手段を設けた魚釣具の構成にある。
【０００９】
内部筒部材の内部に形成した中空部における内径は、該内部筒部材における先端部の内径より、この内部筒部材における後端部の内径の方が大きくなるテーパー状に形成させる。
【発明の効果】
【００１０】
本発明は、重りの重量の変更に際して、釣り糸の着脱作業を行うことなく簡単に行うことができる。
重りが石や岩などの間へ入り込みにくく、釣り仕掛けを失うことが可及的減少する。
【発明を実施するための最良の形態】
【００１１】
次に本発明に関する魚釣具の実施の一例を図面に基づいて説明する。
図１〜図２−１，図２−２および図４，図５においてＡは、一実施例を示す魚釣具で、例えば、鮎釣りのゴロ引き用などに使用されるものであって、収容本体１と、蓋体２と、重り体３とにより基本的に構成される。
【００１２】
そして、前記した収容本体１は、堅牢な合成樹脂等により断面円形や多角形などの縦長となる筒状に形成してあって、内部に一連状の空洞部４を設け、一側部（使用時に常時は下方に向いている位置）にその全面を塞いだ底部５を、他側部（使用時に常時は上方に向いている位置）に開口部６を設けてある。
【００１３】
また、該収容本体１の底部５における外周端部を略半球状に形成してあって、この収容本体１の底部５において、下部釣り糸７を接続させるたこ糸などの接続具８を取り付けてある。
この接続具８の収容本体１への取り付けに際しては、収容本体１の底部５において、該収容本体１を横断したその略中心位置に相当する箇所において穿設した止め孔９へ接続具８を通し、その一端に結び目８ａを設けることで、前記止め孔９からの抜け落ちが防止される。更に、この接続具８の他端にも結び目８ｂを設けて下部釣り糸７の結着を容易にさせる。
【００１４】
なお、この収容本体１の底部５には、後記する蓋体２を取り付けた際の、空洞部４および空間部１３に対する水の排出を行う第一通孔１０を一箇所または複数箇所にわたって設けてある。
【００１５】
前記した蓋体２は、収容本体１の開口部６へ止着手段１１により、該蓋体２の一側部１２を着脱自在に設けてあるもので、この収容本体１と同効質の素材により、かつ、少なくとも開口部６への取付部（一側部１２）は、この収容本体１と同様な断面形状を有していて、その内部に空間部１３が形成されている。
【００１６】
また、この蓋体２は、収容本体１の開口部６より、すなわち、該蓋体２の一側部１２よりつぼまる略円錐状に形成してあって、この蓋体２の先端部には、上部釣り糸１４を接続させる接続具（図示せず）または上部釣り糸１４を取り付けてある。
この上部釣り糸１４を接続させる接続具（図示せず）または上部釣り糸１４の取り付けに際しては、蓋体２の他端部において、該蓋体２を横断したその略中心位置に相当する箇所において、すなわち、略円錐形部のそのつぼまり端部に穿設した止め孔１５へ上部釣り糸１４（接続具）を通し、その一端に結び目１４ａを設けることで、前記止め孔１５からの抜け落ちが防止される。
【００１７】
また、この蓋体２の外周部適所には、収容本体１を取り付けた際の、空間部１３および空洞部４に対する水の流入を行う第二通孔１６を一箇所または複数箇所にわたって設けてある。
この第二通孔１６は、収容本体１に設けた第一通孔１０との相乗効果により、この魚釣具Ａを水中に投入したとき、速やかに、空洞部４および空間部１３へ水が入り込んで内部空気を排出し、該魚釣具Ａが内部空気が存在することによる浮き子状態となることを速やかに防止する。
なお、前記した第一通孔１０および第二通孔１６は、図２−２（ａ）に示すように、収容本体１に第一通孔１０，蓋体２に第二通孔１６を設けたり、必要に応じて、図２−２（ｂ）に示すように、収容本体１に設けた第一通孔１０のみを設けて、この第一通孔１０により水の流入出を兼用に行ったり、図２−２（ｃ）に示すように、蓋体２に設けた第二通孔１６のみを設けて、第二通孔１６により水の流入出を兼用に行ったする。更には、図２−２（ｄ）に示すように、収容本体１と蓋体２との外周部において、釣り糸の取付部（止め孔９，１５）を除いた箇所には、水や砂などの異物が、収容本体１の空洞部４や蓋体２の空間部１３に侵入する孔や隙間などを設けないこともある。
【００１８】
前記した止着手段１１は、収容本体１と蓋体２とを着脱自在に設けるもので、例えば、図１に示すように、収容本体１の開口部６に設けためねじ１７と、蓋体２の一側部１２に設けたおねじ１８との螺合に行ったり、図示してないが、収容本体１の開口部６と蓋体２の一側部１２との嵌合により行ったりするもので、簡便に脱着操作が行えるものであれば適宜な手段が選定し得る。
【００１９】
前記した重り体３は、釣り仕掛けに対して所定の重り作用を与えるもので、鉛製以外にも前記目的を達するものであれば任意の素材が使用することができる。
そして、収容本体１内の空洞部４や蓋体２内の空間部１３へ出し入れ自在に収容させるもので、収容本体１内へ納まり得る外径を有していて、該空洞部４内には複数個が設けられる。そして、この複数個の重り体３は、図３に示すように、大きさ（すなわち、重さ）を違えた２種類あるいは複数種類の小重り３ａ，３ｂ…が用意されているもので、これら複数の小重り３ａ，３ｂ…の組み合わせ収容によって、希望する全体重量の重り体３が得られる、あるいは、全体重量の微調整を行うことができる。
例えば、小重り３ｂが３個と、小重り３ａが２個により３０ｇの重量を有する重り体３を得る、とのように組み合わせ調整することができる。
更に、この重り体３は、収容本体１内の空洞部４以外にも、収容本体１内の空洞部４と一緒に蓋体２の空間部１３内にも収納することができる。
【００２０】
また、本発明実施例の魚釣具Ａは、その使用にあって、上部釣り糸１４により吊持されたとき、図１に示すように、蓋体２が上部にまた収容本体１が下部に位置するもので、その全体形状は、水滴の落下状態に似た形態となる。
更に、この魚釣具Ａを前記吊持位置から略９０゜倒したときは、収容本体１側に重心が常に存在するように構成される。このことは、収容本体１の空洞部４内の重り体３の収容容積が、蓋体２の空間部１３内の重り体３の収容容積より大きいことによるものである。
【００２１】
前記のように構成される本発明の一実施例の魚釣具Ａは、以下に述べる作用を奏する。
例えば、鮎のゴロ引き釣りに用いる場合には、釣竿に結着した道糸（上部釣り糸１４）の先端部を、魚釣具Ａにおける蓋体２の止め孔１５に挿入し、この道糸（上部釣り糸１４）の先端部に結び目１４ａを形成すると、止め孔１５に結び目１４ａが固定されて、道糸（上部釣り糸１４）の蓋体２からの抜け止めが防止される。
【００２２】
また、収容本体１の接続具８に釣り針を多数取り付けた仕掛けを有する下部釣り糸７を結着しておき、釣場等の状況などに相応して、重り体３の全体重量を選定し、その小重り３ａ，３ｂを組み合わせて希望する重り体３となるように、これら小重り３ａ，３ｂを収容本体１の空洞部内６や蓋体２の空間部１３内へ収容し、収容体１と蓋体２とを止着手段１１により連結する。
【００２３】
これにより、釣り仕掛け全体が形成されるので、川にこの釣り仕掛けを放ち、水中あるいは川底へ前記釣り仕掛けを移動させると、魚釣具Ａがその重りにより川底へ速やかに沈み、図４に示すように、その後部に接続された多数の釣り針２０が水中あるいは川底を這うように回転しながら移動する。
このとき、魚釣具Ａは、蓋体２あるいは収容本体１に第二通孔１６あるいは第一通孔１０が設けられているため、上部釣り糸１４を引っ張ったとき、水が第二通孔１６から流入し、第一通孔１０から排出して魚釣具Ａ内を流動する。この水の流動は、魚釣具Ａ内に入り込んだ砂やゴミなどの異物排除の効果もある。
したがって、釣り糸１４を引いたとき、瞬間的に、該魚釣具Ａに移動抵抗が掛かり、この魚釣具Ａが水中において上下方向へ横方向へと自由なスイング動作を起こし、急激な浮き上がり現象を抑え、程良い緩やかな浮き上がり・浮き沈み運動を生じさせて、水中での停滞時間を可及的延長させることができ、釣果の大幅な向上につながる。
【００２４】
もし、この重り体３の重量が不満足の場合には、釣り仕掛け全体を川から引き上げ、魚釣具Ａにおける収容本体１と蓋体２とをその止着手段１１により分離させると、重り体３が取り出せるあるいは追加できる状態となるので、空洞部内６や空間部１３内の重り体３における小重り３ａ，３ｂを増減させ、再び、止着手段１１によりを収容本体１と蓋体２とを連結すれば、直ちに、釣りを楽しむことができて、重り体３の重量調整に手間と時間等が掛からない。
【００２５】
更に、釣り中に、重りとなった魚釣具Ａが、川底の石や岩などの突起物２１に接近すると、該魚釣具Ａは収容本体１側に重心があるため、蓋体２より下方に該収容本体１側がその姿勢を位置し、図５（ａ）に示すように、突起物２１へ斜めに姿勢で当接するもので、この突起物２１へ引っ掛かることなく、円滑にこの魚釣具Ａにおける収容本体１と蓋体２の外周面が突起物２１面に馴染んで引っ張られる。
また、収容本体１の底部５が略半球状に形成されていれば、突起物２１面への馴染みが一層良好となって、突起物２１への引っ掛かりが解消される。
【００２６】
もし、川底の石や岩などの突起物２１の間へ魚釣具Ａが入り込もうとして引っ掛かったときは、その衝撃が竿に伝達されるので、一旦、釣り仕掛けの引きずりを止め、今まで、釣り仕掛けを引っ張っていた方向と逆方向へ、または、斜め方向へあるいは横方向へ、上部釣り糸１４を釣り竿と共に移動させると、その上部釣り糸１４の回動によって、図５（ｂ）に示すように、魚釣具Ａが収容本体１の底部５を略中心として揺動するので、突起物２１の間に位置した蓋体２は容易にこの間から抜け出る（外れる）ことができ、魚釣具Ａの突起物２１の間への嵌り込みが防止される。
【００２７】
特に、この魚釣具Ａは、その収容本体１の底部５を略中心として、上部釣り糸１４を適宜な３６０゜方向へ移動させることで、収容本体１と蓋体２とが一体となって、その引っ張られた方向へ全体姿勢を変更するから、多少、魚釣具Ａの突起物２１の間への嵌り込みを生じても、容易にこの間からの抜け出し（外れ出し）がなされる。このことは、蓋体２が略円錐形に形成され。かつ、収容本体１側に魚釣具Ａの重心があること、および、収容本体１の底部が略半球状に形成されているため、前記した魚釣具Ａの３６０゜方向へ移動が円滑に行われる。
また、蓋体２の略円錐形は、突起物２１の間への嵌り込みもできるだけ最小限に抑えることができる。
【００２８】
次に、図６および図９−１，図９−２においてＡは本発明の実施例を示す魚釣具で、例えば、投げ釣り用仕掛けなどに使用されるものであって、前記した実施例と同様に、収容本体１と、蓋体２と、重り体３とにより基本的に構成される。
【００２９】
そして、前記した収容本体１は、堅牢な合成樹脂等により断面円形や多角形などの縦長となる筒状に形成してあって、内部に一連状の空洞部４を設け、一側部（使用時に常時は下方に向いている位置）にその全面を塞いだ底部５を、他側部（使用時に常時は上方に向いている位置）に開口部６を設けてある。
【００３０】
また、該収容本体１の底部５における外周端部を略平滑状あるいは図６，図１１等に示すように、内方へ凹む円弧状の凹部をなすように形成してある。
【００３１】
なお、この収容本体１の外周部は、図６（ｂ）に示すように、砂などの異物が入らないように孔や隙間などを設けない外側部を有していて、該収容本体１の空洞部４とは全く外部と連通しないように設けられているものであるが、必要に応じて、この収容本体１の底部５に、図６（ａ），図１０〜図１１などに示すように、後記する蓋体２を取り付けた際の、空洞部４および空間部１３に対する水の排出を行う第一通孔１０を一箇所または複数箇所にわたって設けることもある。
【００３２】
前記した蓋体２は、収容本体１の開口部６へ止着手段１１により、この蓋体２の一側部１２を着脱自在に設けてあるもので、この収容本体１と同効質の素材により、かつ、少なくとも開口部６への取付部（一側部１２）は、該収容本体１と同様な断面形状を有していて、その内部に空間部１３が形成されている。
【００３３】
また、この蓋体２は、収容本体１の開口部６より、すなわち、該蓋体２の一側部１２よりつぼまる略円錐状に形成してあって、蓋体２の他端部において、該蓋体２を横断したその略中心位置に相当する箇所において、すなわち、略円錐形部のそのつぼまり端部に、後記する内部筒部材３０が挿入される貫通孔３１が設けられている。
【００３４】
また、この蓋体２の外周部は、図６（ｂ）に示すように、砂などの異物が入らないように孔や隙間などを設けない外側部を有していて、該蓋体２の空間部１３とは全く外部と連通しないように設けられているものであるが、必要に応じて、この蓋体２の外周部適所には、図６（ａ）〜図７，図９−１などに示すように、収容本体１を取り付けた際の、空間部１３および空洞部４に対する水の流入を行う第二通孔１６を一箇所または複数箇所にわたって設けてある。
なお、この第二通孔１６は、収容本体１に設けた第一通孔１０との相乗効果により、この魚釣具Ａを水中に投入したとき、速やかに、空洞部４および空間部１３へ水が入り込んで内部空気を排出し、該魚釣具Ａが内部空気が存在することによる浮き子状態となることを防止する。
なお、前記した第一通孔１０および第二通孔１６は、図９−２（ａ）に示すように、収容本体１に第一通孔１０，蓋体２に第二通孔１６を設けたり、必要に応じて、図９−２（ｂ）に示すように、収容本体１に設けた第一通孔１０のみを設けて、この第一通孔１０により水の流入出を兼用に行ったり、図９−２（ｃ）に示すように、蓋体２に設けた第二通孔１６のみを設けて、第二通孔１６により水の流入出を兼用に行ったりする。更には、図９−２（ｄ）に示すように、収容本体１と蓋体２との外周部において、釣り糸の取付部（貫通孔３１）を除いた箇所には、水や砂などの異物が、収容本体１の空洞部４や蓋体２の空間部１３に侵入する孔や隙間などを設けないことがあるもので、この場合、空洞部４および空間部１３に存在する空気の排出は行わないこともあると共に、前記釣り糸の取付部（貫通孔３１）より空洞部４および空間部１３に存在する空気の排出が行えて、内部に水が充満し浮き子状態にさせない場合もある。
【００３５】
前記した止着手段１１は、収容本体１と蓋体２とを着脱自在に設けるもので、例えば、図６に示すように、収容本体１の開口部６に設けた係止内縁３２と、蓋体２の一側部１２に設けた係止受部３３との螺合に行ったり、図示してないが、収容本体１の開口部６と蓋体２の一側部１２とに設けたねじによる螺合により行ったりするもので、簡便に脱着操作が行えるものであれば適宜な手段が選定し得る。
【００３６】
なお、前記した内部筒部材３０は、合成樹脂等により内部を空洞とした中空部３０ａを有するパイプ状に形成してあって、収容本体１と蓋体２との軸方向において、これら収容本体１と蓋体２とにわたって、それらの略中心部における収容本体１の係止孔４０と蓋体２の貫通孔３１とに挿入させてある。
なお、該内部筒部材３０の収容本体１および蓋体２への取り付けは、収容本体１における貫通孔３１に対しては、該貫通孔３１が内部筒部材３０の外周部に対して摺動自在に係合することで、重り体３の交換時等において蓋体２の取り外し，取り外しの作業を簡便に行うことができる。
また、収容本体１の係止孔４０にあっては、図１２−１に示すように、内部筒部材３０の下端部とこの係止孔４０とを接着や溶着などの固定手段４０ａにより固定することが好ましい。更には、図１２−２に示すように、収容本体１と内部筒部材３０とを一体成形する場合もある。
そして、この内部筒部材３０内の中空部３０ａに接続釣り糸３４を、少なくとも軸方向（縦方向）に対して移動自在に通して、その両端部を、収容本体１と蓋体２との外端部よりそれぞれ持ち出すように（収容本体１と蓋体２との中を通った接続釣り糸３４は該収容本体１と蓋体２との外端部から所定長さ分が連続して引き出された突出状態に）設けてある。これにより、接続釣り糸３４の他物への摩擦接触をなくして糸切れを防止することができる。
この接続釣り糸３４の上端部は、釣り竿（図示せず）に結着した道糸３５に対して撚り戻し３６を介して取り付けてある。
【００３７】
なお、内部筒部材３０内部に形成した中空部３０ａにおけるその内径は、図１２−２に示すように、該内部筒部材３０における先端部３０ｂの内径Ｄ１より、この部筒部材３０における後端部３０ｃの内径Ｄ２の方が大きく（Ｄ１＜Ｄ２）なるように、すなわち、魚釣具Ａの進行方向（同図において示す矢印Ｋ方向）に対してテーパー状となるように形成しておけば、内部筒部材３０内部に水や砂などの異物が入り込んだときでも、円滑に前記異物を排出させることができると共に、入り込んだ砂などによる摩擦等によって、接続釣り糸３４を損傷，折損させない。
また、中空部３０ａをテーパー状に形成させることで、この内部筒部材３０内壁に対する接続釣り糸３４の接触摩擦が可及的に減少させることができ、アタリ時の検知を向上させることができる。
この内部筒部材３０内部に形成した中空部３０ａにおけるその内径は、前記したようにテーパー形状以外にも、ストレート形状に、すなわち、同径（Ｄ１＝Ｄ２）に形成してもよい。
【００３８】
更に、この内部筒部材３０にあって、その先端部３０ｂと後端部３０ｃとの内端縁３０ｂ１，外端縁３０ｃ１を、図１２−２において、Ｓ部拡大図およびＲ部拡大図に示すように、曲面形状（アール面）に設けることで、接続釣り糸３４との接触が柔軟的となって、釣り使用時や本魚釣具Ａの保管時に際しても該接続釣り糸３４を傷めることがない。
また、この内部筒部材３０を収容本体１と一体的に設けない場合（図７に示すような場合）であっても、その先端部３０ｂと後端部３０ｃとの内端縁３０ｂ１，外端縁３０ｃ１を、曲面形状（アール面）に設けることができる。
しかし、この内・外端縁３０ｂ１，３０ｃ１は曲面形状（アール面）を設けない略直角形状であっても、接続釣り糸３４を傷めることはあるものの、釣り具としての使用上問題ない場合もある。
【００３９】
前記した重り体３は、釣り仕掛けに対して所定の重り作用を与えるもので、鉛製以外にも前記目的を達するものであれば任意の素材が使用することができる。
そして、収容本体１内の空洞部４や蓋体２内の空間部１３へ出し入れ自在に収容させるもので、収容本体１内へ納まり得る外径を有していて、該空洞部４内には複数個が設けられる。そして、この複数個の重り体３は、図７に示すように、大きさ（すなわち、重さ）を違えた小重り３ａ，３ｂ…が用意されているもので、これら複数の小重り３ａ，３ｂ…の組み合わせ収容によって、希望する全体重量の重り体３が得られる。例えば、小重り３ｂが３個と、小重り３ａが２個により３０ｇの重量を有する重り体３を得る、とのように組み合わせ調整することができる、あるいは、全体重量の微調整を行うことができる。
更に、この重り体３は、収容本体１内の空洞部４以外にも、収容本体１内の空洞部４と一緒に蓋体２の空間部１３内にも収納することができる。
また、収容本体１の空洞部４内の重り体３の収容容積が、蓋体２の空間部１３内の重り体３の収容容積より大きく設ける、いわゆる、収容本体１側に魚釣具Ａの重心を設ける。
【００４０】
また、この重り体３は、収容本体１の空洞部４や蓋体２の空間部１３への収納性を良好にするため、内部筒部材３０との干渉を避ける切り欠き３７を設けてあって、この内部筒部材３０へ該内部筒部材３０の外側より脱着あるいは係脱自在となる。
【００４１】
更に、収容本体１側の外端部より突出した接続釣り糸３４へ保護部材３９を係合させてある。この係合にあっては、パイプ状の前記保護部材３９内へ接続釣り糸３４を挿通させることでなされる。この保護部材３９は、その内部に空洞状の中空部３９ａが形成されているもので、該中空部３９ａは、その内径が上部Ｄ３から下部Ｄ４へ向かうにしたがってテーパー状に広がるように形成することがあり、中空部３９ａ内部に水や砂などの異物が入り込んだときでも、円滑に前記異物を排出させることができると共に、入り込んだ砂などによる摩擦等によって、接続釣り糸３４を損傷，折損させない。
また、前記したように、中空部３９ａをテーパー状に形成させることで、この保護部材３９内壁に対する接続釣り糸３４の接触摩擦が可及的に減少させることができ、アタリ時の検知を向上させることができる。
この保護部材３９内部に形成した中空部３９ａにおけるその内径は、前記したようにテーパー形状以外にも、ストレート形状に、すなわち、上部Ｄ３と下部Ｄ４とが同径（Ｄ３＝Ｄ４）に形成してもよい。
この保護部材３９は、この魚釣具Ａと共にこの下部に接続させた釣り仕掛けを遠投したとき、該保護部材３９が、図９−１に示すように、前記釣り仕掛け４７ａに取り付けた餌などが、該魚釣具Ａやテグスなどに絡み付くことを防止する。
また、接続釣り糸３４の他物への摩擦接触をなくして糸切れを防止することができる。更に、この保護部材３９の長さを適宜調整変更させることにより、釣り場にあってその風向きや風力などにほとんど影響されることなく、前記魚釣具Ａやテグスなどへの絡み付き防止が一層助長される。
なお、この保護部材３９にあって、その先端部３９ｂと後端部３９ｃとの内端縁３９ｂ１，外端縁３９ｃ１を、図１２−３において、Ｓ１部拡大図およびＲ１部拡大図に示すように、曲面形状（アール面）に設けることで、接続釣り糸３４との接触が柔軟的となって、釣り使用時や本魚釣具Ａの保管時に際しても該接続釣り糸３４を傷めることがない。
しかし、この内端縁３９ｂ１，外端縁３９ｃ１は曲面形状（アール面）を設けない略直角形状であっても、接続釣り糸３４を傷めることはあるものの、釣り具としての使用上問題ない場合もある。
【００４２】
また、この保護部材３９の接続釣り糸３４への取り付けにあっては、魚釣具Ａを該接続釣り糸３４の所定位置へ取り付けることで、必然的に、収容本体１の底部５における外端部より吊持された状態で設けられる。
そして、魚釣具Ａの接続釣り糸３４への所定位置の取り付けにあっては、収容本体１の底部５における外端部において、接続釣り糸３４の長さ方向（軸方向）に対する移動を規制させる止め手段４１を設けることでなされる。
【００４３】
すなわち、この止め手段４１は、接続釣り糸３４に設けた係止段部４２と、この係止段部４２と収容本体１の外端部とに係合する係合部材４３とを有する。
このうち、係止段部４２は、接続釣り糸３４の希望する位置に一重あるいは二重の結び目を設けることで容易に形成されるもので、この係止段部４２の形成位置が、図６（ａ）に示すように、蓋体２の外端部と、この外端部より上方において接続釣り糸３４に設けた撚り戻し３６とのゆとりｘが、魚が釣り針に掛かったときの当たり量となる。
【００４４】
また、係止部材４３は、可撓性を有する合成樹脂板により形成してあって、その中心部（半径方向）まで切れ目４４を設けてある。
したがって、この係止部材４３を、図１０に示すように、切れ目４４に沿って撓ませ、接続釣り糸３４の外周部へ係合させてこの切れ目４４の最終端まで押し込んだ後、撓みを解除させると、係止部材４３は元の平滑状に復元し、それにより、接続釣り糸３４を所定の力で挟み付ける。そのため、魚釣具Ａの重量がこの係止部材４３に掛かったとき、接続釣り糸３４の係止段部４２に、該魚釣具Ａの重量を係止部材４３を介して支承することができ、魚釣具Ａの接続釣り糸３４への取付位置の調整をワンタッチにより行うことができる。
【００４５】
更に、なお、該止め手段４１は、前記係止段部４２や係止部材４３を用いることなく接続釣り糸３４の長さ方向（軸方向）に対する移動を規制させる、および位置決めさせることができるもので、この場合、図６（ｂ）に示すように、接続釣り糸３４の下端部に取り付けられた撚り戻し４６にその下部を支承された保護部材３９の上端部を、内部筒部材３０の下端部に接近（当接）させた状態に構成させることで、同様の作用効果を奏する。
また、この保護部材３９の上端部と内部筒部材３０の下端部との当接位置の形態が、図６（ｂ）に示すように、蓋体２の外端部と、この外端部より上方において接続釣り糸３４に設けた撚り戻し３６とのゆとりｘが、魚が釣り針に掛かったときの当たり量となる。
【００４６】
更に、この止め手段４１の他の例として、図１２−１に示すように、収容本体１における底部５の外端部へ係合する接続釣り糸３４の係止段部４２のみであっても構わないものである。この係止段部４２は、例えば、接続釣り糸３４に設けた一重または二重の結び目や、図示してない、簡単に接続釣り糸３４へ取り付けられる半割状のかしめ管や急速硬化性樹脂の貼着など任意の手段が選定し得る。
【００４７】
なお、前記した保護部材３９は、接続釣り糸３４に取り付けられたとき、該接続釣り糸３４の下部に取り付けられた撚り戻し４６によって、接続釣り糸３４の下側への移動が規制される。
また、撚り戻し４６の下側には、重りや釣り針等の釣り仕掛け４７ａが結着される。
更に、内部筒部材３０内へ移動自在に通した接続釣り糸３４は、その上端部に道糸３５を接続し、接続釣り糸３４の下端部にハリス４７に取り付けた釣り仕掛け４７ａを接続してあり、接続釣り糸３４と道糸３５とハリス４７とは、合成樹脂製からなるテグスであって、これら接続釣り糸３４と道糸３５とハリス４７とは、一連状に接続される。したがって、これにより、魚が掛かったアタリが直接的に、釣り針の付いた釣り仕掛け４７ａからハリス４７、接続釣り糸３４、道糸３５と伝達されて釣り人が持つ釣竿に伝わるので、どんな小さな魚や、引きの弱い魚であっても、前記アタリを逃すことなく釣果の向上に寄与できる。
【００４８】
前記のように構成される本発明の実施例の魚釣具Ａは、以下に述べる作用を奏する。
例えば、この魚釣具Ａを、海において投げ釣り（他の釣りにも採用可能）に用いる場合には、釣竿に結着した道糸（上部釣り糸）３５の先端部を、撚り戻し３６を介して魚釣具Ａにおける接続釣り糸３４へ結着し、重りや釣り針等の釣り仕掛け４７ａを撚り戻し４６を介して接続釣り糸３４へ結着する。
【００４９】
また、釣場等の状況（潮の流れや海の深さ，魚の種類など）に相応して、重り体３の全体重量を選定し、その小重り３ａ，３ｂを組み合わせて希望する重り体３となるように、これら小重り３ａ，３ｂを収容本体１の空洞部内６や蓋体２の空間部１３内へ収容し、収容体１と蓋体２とを止着手段１１により連結する。
【００５０】
これにより、海釣り用の仕掛け全体が形成されるので、海へ、この魚釣具Ａと共に釣り仕掛け４７ａを投げ入れると、重りである魚釣具Ａと共にその下部の仕掛け４７が海に向かって飛んで行くもので、このとき、魚釣具Ａには、収容本体１の下部外端部に保護部材３９により接続釣り糸３４を外包しているので、この接続釣り糸３４に所定の保形作用が働いて、図９−１に示すように、下部の仕掛け４７と魚釣具Ａにおける収容本体１，蓋体２との間に所定の間隔Lを形成する。
そのため、釣り仕掛け４７ａに取り付けた釣り針や餌などが、該魚釣具Ａやテグス（道糸３５）などに絡み付かない。
特に、収容本体１の下部外端部の接続釣り糸３４は、該接続釣り糸３４のみが揺動が自由となっているため、保護部材３９の回動方向を任意（自由）に与えることができて、一層、釣り仕掛け４７ａや道糸３５などの絡み付きが防止される。
更には、収容本体１の底部５を平滑状あるいは凹状に形成させることで、接続釣り糸３４のみの揺動自由と相俟って、保護部材３９が容易に略９０゜まで屈曲することができ、釣り糸を投げたときの空中姿勢にあって、この保護部材３９の略９０゜の姿勢を保持させることができる。
【００５１】
水中に放たれた魚釣具Ａは、収容本体１，蓋体２内の重り体３の重りにより、海底へ速やかに沈み、釣りポイントに移動する。
このとき、魚釣具Ａは、蓋体２あるいは収容本体１に第二通孔１６あるいは第一通孔１０を設けたときは、自然にあるいは道糸３５を引っ張ったとき、水が第二通孔１６から流入し、第一通孔１０から排出されて魚釣具Ａ内を流動するので、速やかに、空洞部４や空間部１３内の空気や異物あるいは侵入した砂などを排出させ、かつ、魚釣具Ａの必要以上の浮き上がりを防止する。
また、水中において、道糸３５を引っ張ったとき、瞬間的に、該魚釣具Ａに移動抵抗が掛かり、この魚釣具Ａが水中において、過度な浮き上がりを抑えることができるため、底物の魚を釣るときは特に効果を発揮する。
また、魚釣具Ａの外形状を略円錐形に形成することで、適度な浮き上がりを生じさせることができて、水中での魚釣具Ａの停滞時間を可及的延長させることができ、該魚釣具Ａの程良い浮き上がりも生ずるため、根掛かりを防止することもできて、釣果の大幅な向上につながる。
【００５２】
使用にあって、もし、この重り体３の重量が不満足の場合には、魚釣具Ａと共に釣り仕掛け４７ａを海から引き上げ、魚釣具Ａにおける収容本体１と蓋体２とをその止着手段１１により分離させると、簡単に、重り体３が取り出せる（交換も含む）、あるいは追加・調整できる状態となるので、空洞部内６や空間部１３内の重り体３における小重り３ａ，３ｂ増減させ、再び、止着手段１１によりを収容本体１と蓋体２とを連結すれば、直ちに、釣りを楽しむことができて、重り体３の重量調整に手間と時間等が掛からない。
【００５３】
特に、この本発明実施例にあって、従来のてんびん重り７４のように、針金からなる道糸取付杆７２やハリス取付杆７３などを介することなく、道糸３５と釣り仕掛け４７ａとは接続釣り糸３４により一連状に連結させたものであるから、釣り針に掛かった魚の当たりは、釣り仕掛け４７ａから接続釣り糸３４，道糸３５と直接的に伝達され、釣り人の当たりに対する反応が鋭敏となって、一層の釣果の増大につながる。
【図面の簡単な説明】
【００５４】
【図１】本発明に関する魚釣具の一実施例を示す縦断正面図である。
【図２−１】図１における魚釣具を一部破断して示す斜視図である。
【図２−２】図１における魚釣具の第一または第二通孔の穿設状態の各例を示す外観図である。
【図３】図１における魚釣具に用いる重り体を示す斜視図ある。
【図４】図１における魚釣具の使用状態を示す説明図である。
【図５】図１における魚釣具の水中での動きを示すもので、（ａ）は水中突起部へ沿った状態の側面図を、（ｂ）は魚釣具の水中突起物の間へ入った状態の平面図をそれぞれ示す。
【図６】本発明に関する魚釣具の実施例を示す縦断正面図で、（ａ）は収容本体と蓋体とに第一および第二通孔を設けた例を示し、（ｂ）は収容本体と蓋体とに第一および第二通孔を設けない例を示す。
【図７】図６における魚釣具を分解して示す斜視図である。
【図８】図６における魚釣具を収容本体部において横断して示す断面図である。
【図９−１】図６における魚釣具の遠投したときの状態を示す説明図である。
【図９−２】図６における魚釣具の第一あるいは第二通孔の穿設状態の各例を示し、また、第一あるいは第二通孔のない場合の例を示す外観図である。
【図１０】図６における魚釣具の止着手段の要部を示す斜視図である。
【図１１】図１０における魚釣具の止着手段の要部の断面図である。
【図１２−１】図１０における魚釣具の止着手段の他例を示す要部の断面図である。
【図１２−２】図６における魚釣具の収容本体と内部筒部材との他例を示す要部の断面図である。
【図１２−３】図７における魚釣具の保護部材の例にあって、その先端部と後端部に曲面形状を形成させた状態を示す断面図である。
【図１３】従来の釣り用重り（鮎ゴロ引き釣り）を示す斜視図である。
【図１４】図１３における釣り用重りの使用状態を示す説明図である。
【図１５】従来の釣り用重り（投げ釣り）の使用状態を示す説明図である。
【符号の説明】
【００５５】
Ａ…魚釣具．１…収容本体．２…蓋体．３…重り体．４…空洞部．５…底部．６…開口部．７…下部釣り糸．８…接続具．１０…第一通孔．１１…止着手段．１４…上部釣り糸．１６…第二通孔．３０…内部筒部材．３０ｂ１，３０ｃ１…先端部３０ｂと後端部３０ｃとの内・外端縁．３４…接続釣り糸．３５…道糸．３７…切り欠き．３９…保護部材．４１…止め手段．４２…係止段部．４３…係合部材．４６…撚り戻し．４７…ハリス．４７ａ…釣り仕掛け．